(57)【要約】  複数の伝送線を伝送されてくる画像信号に信号種別を示す識別データが重畳されていなくても、それらの信号種別を判断する。第１伝送線で伝送された第１画像信号と第２伝送線で伝送された第２画像信号との位相差が所定値未満であるかという位相差判定条件、又は、位相差が所定値以下であるかという位相差判定条件を判定し、位相差判定条件を満たすと判定された場合に、第１画像信号と第２画像信号とがデュアルリンク信号であると判断し、位相差判定条件を満たさないと判定された場合に、第１画像信号と第２画像信号とがシングルリンク信号であると判断する。
2011004647.tif 000002
【特許請求の範囲】
【請求項１】
複数の伝送線で伝送された画像信号の信号種別を判断する信号種別判断装置であって、
第１伝送線で伝送された第１画像信号の入力を受け付ける第１入力部と、
第２伝送線で伝送された第２画像信号の入力を受け付ける第２入力部と、
前記第１画像信号と前記第２画像信号との位相差が所定値未満であるかという位相差判定条件、又は、前記位相差が所定値以下であるかという位相差判定条件が満たされるか否かを判定し、前記位相差判定条件が満たされると判定した場合に、前記第１画像信号と前記第２画像信号とがデュアルリンク信号である旨の判断結果を出力し、前記位相差判定条件が満たされないと判定した場合に、前記第１画像信号と前記第２画像信号とがシングルリンク信号である旨の判断結果を出力する位相差判断部とを有する。
【請求項２】
請求項１の信号種別判断装置であって、
前記第１画像信号は、複数の第１ラスターライン信号を含み、
前記第１ラスターライン信号のそれぞれは、ラスター形式の第１画像に含まれる複数の第１ラスターラインのそれぞれに対応し、
前記第２画像信号は、複数の第２ラスターライン信号を含み、
前記第２ラスターライン信号のそれぞれは、ラスター形式の第２画像に含まれる複数の第２ラスターラインのそれぞれに対応する。
【請求項３】
請求項２の信号種別判断装置であって、
前記第１ラスターライン信号のそれぞれは、それぞれが前記第１入力部に入力される順序に対応する第１ライン番号を含み、前記第２ラスターライン信号のそれぞれは、それぞれが前記第２入力部に入力される順序に対応する第２ライン番号を含み、
前記位相差判断部は、
前記第１ラスターライン信号に含まれる一つの前記第１ライン番号が前記第１入力部に入力されてから、前記第２ラスターライン信号に含まれる一つの前記第２ライン番号が前記第２入力部に入力されるまでの遅延時間の大きさが所定の時間未満であるかという判遅延時間判定条件、又は、前記遅延時間の大きさが前記所定の時間以下であるかという遅延時間判定条件が満たされるか否かを判定する遅延時間判定部と、
前記一つの前記第１ライン番号と前記一つの前記第２ライン番号とが同一かを判定するライン番号判定部と、
前記位相差判定条件が満たされるか否かを判定する判定部と、を含み、
前記判定部は、
前記遅延時間判定部で前記遅延時間判定条件が満たされると判定され、なおかつ、前記ライン番号判定部で前記第１ライン番号と前記第２ライン番号とが同一であると判定された場合に、前記位相差判定条件が満たされると判定し、
前記遅延時間判定部で前記遅延時間判定条件が満たされないと判定されるか、又は、前記ライン番号判定部で前記第１ライン番号と前記第２ライン番号とが同一でないと判定された場合に、前記位相差判定条件が満たされないと判定する。
【請求項４】
請求項２の信号種別判断装置であって、
前記複数の第１ラスターライン信号は、垂直ブランキング期間での前記第１ラスターラインに対応する第１垂直ブランキングライン信号と、垂直アクティブ期間での前記第１ラスターラインに対応する第１垂直アクティブライン信号とを含み、
前記複数の第２ラスターライン信号は、垂直ブランキング期間での前記第２ラスターラインに対応する第２垂直ブランキングライン信号と、垂直アクティブ期間での前記第２ラスターラインに対応する第２垂直アクティブライン信号とを含み、
前記位相差判断部は、
第１ターゲット信号が前記第１入力部に入力されてから第２ターゲット信号が前記第２入力部に入力されるまでの第１遅延時間の大きさが第１時間未満であるかという第１遅延時間判定条件、又は、前記第１遅延時間の大きさが前記第１時間以下であるかという第１遅延時間判定条件を判定する第１遅延時間判定部と、
第３ターゲット信号が前記第１入力部に入力されてから第４ターゲット信号が前記第２入力部に入力されるまでの第２遅延時間の大きさが第２時間未満であるかという第２遅延時間判定条件、又は、前記第２遅延時間の大きさが前記第２時間以下であるかという第２遅延時間判定条件を判定する第２遅延時間判定部と、
前記第１遅延時間判定部で前記第１遅延時間判定条件が満たされると判定され、なおかつ、前記第２遅延時間判定部で前記第２遅延時間判定条件が満たされると判定された場合に、前記位相差判定条件が満たされると判定し、前記第１遅延時間判定部で前記第１遅延時間判定条件が満たされないと判定されるか、又は、前記第２遅延時間判定部で前記第２遅延時間判定条件が満たされないと判定された場合に、前記位相差判定条件が満たされないと判定する判定部と、を含み、
前記第１ターゲット信号が、前記第１垂直アクティブライン信号の直後に前記第１入力部に入力された前記第１垂直ブランキングライン信号の一つであり、なおかつ、前記第２ターゲット信号が、前記第２垂直アクティブライン信号の直後に前記第２入力部に入力された前記第２垂直ブランキングライン信号の一つであり、又は、前記第１ターゲット信号が、前記第１垂直ブランキングライン信号の直後に前記第１入力部に入力された前記第１垂直アクティブライン信号の一つであり、なおかつ、前記第２ターゲット信号が、前記第２垂直ブランキングライン信号の直後に前記第２入力部に入力された前記第２垂直アクティブライン信号の一つであり、
前記第３ターゲット信号が、前記第１ターゲット信号が前記第１入力部に入力されてからＷ番目後（Ｗは正の整数定数）に前記第１入力部に入力された前記第１ラスターライン信号の一つであり、なおかつ、前記第４ターゲット信号が、前記第２ターゲット信号が前記第２入力部に入力されてからＷ番目後に前記第２入力部に入力された前記第２ラスターライン信号の一つである。
【請求項５】
請求項４の信号種別判断装置であって、
前記第１画像に含まれる前記第１ラスターラインのそれぞれは、第１水平ブランキング領域と前記第１水平ブランキング以外の領域である第１水平アクティブ領域との両方を含み、
前記第２画像に含まれる前記第２ラスターラインのそれぞれは、第２水平ブランキング領域と前記第２水平ブランキング以外の領域である第２水平アクティブ領域との両方を含み、
前記第１ターゲット信号は、当該第１ターゲット信号が前記第１垂直アクティブライン信号の一つであるか前記第１垂直ブランキングライン信号の一つであるかを表す値を持つ第１垂直識別子を含み、
前記第２ターゲット信号は、当該第２ターゲット信号が前記第２垂直アクティブライン信号の一つであるか前記第２垂直ブランキングライン信号の一つであるかを表す値を持つ第２垂直識別子を含み、
前記第３ターゲット信号は、当該第３ターゲット信号に含まれる前記第１水平ブランキング領域又は前記第１水平アクティブ領域を特定するための値を持つ第１水平識別子を含み、
前記第４ターゲット信号は、当該第４ターゲット信号に含まれる前記第２水平ブランキング領域又は前記第２水平アクティブ領域を特定するための値を持つ第２水平識別子を含み、
前記第１遅延時間は、前記第１垂直識別子が前記第１入力部に入力されてから、前記第２垂直識別子が前記第２入力部に入力されるまでの時間であり、
前記第２遅延時間は、前記第１水平識別子が前記第１入力部に入力されてから、前記第２水平識別子が前記第２入力部に入力されるまでの時間である。
【請求項６】
請求項２から５の何れかの信号種別判断装置であって、
前記複数の第１ラスターライン信号は、垂直ブランキング期間での前記第１ラスターラインに対応する第１垂直ブランキングライン信号を含み、前記複数の第２ラスターライン信号は、垂直ブランキング期間での前記第２ラスターラインに対応する第２垂直ブランキングライン信号を含み、
当該信号種別判断装置は、
前記第１画像信号又は前記第２画像信号から前記第１垂直ブランキングライン信号又は前記第２垂直ブランキングライン信号が表す垂直ブランキング画像信号を抽出し、前記垂直ブランキング画像信号がＲＧＢフォーマットのものであるか、ＹＵＶフォーマットのものであるかを判定し、前記垂直ブランキング画像信号がＲＧＢフォーマットのものであると判定した場合に、前記第１画像信号及び前記第２画像信号がＲＧＢフォーマットの信号である旨の判断結果を出力し、前記垂直ブランキング画像信号がＹＵＶフォーマットのものであると判定し場合に、前記第１画像信号及び前記第２画像信号がＹＵＶフォーマットの信号である旨の判断結果を出力する色フォーマット判断部をさらに有する。
【請求項７】
請求項２から６の何れかの信号種別判断装置であって、
前記第１ラスターライン信号は、垂直ブランキング期間での前記第１ラスターラインに対応する第１垂直ブランキングライン信号と、垂直アクティブ期間での前記第１ラスターラインに対応する第１垂直アクティブライン信号とを含み、前記第１ラスターライン信号のそれぞれは、それぞれが前記第１垂直アクティブライン信号の一つであるか前記第１垂直ブランキングライン信号の一つであるかを表す値を持つ第１垂直識別子を含み、
前記第２ラスターライン信号は、垂直ブランキング期間での前記第２ラスターラインに対応する第２垂直ブランキングライン信号と、垂直アクティブ期間での前記第２ラスターラインに対応する第２垂直アクティブライン信号とを含み、前記第２ラスターライン信号のそれぞれは、それぞれが前記第２垂直アクティブライン信号の一つであるか前記第２垂直ブランキングライン信号の一つであるかを表す値を持つ第２垂直識別子を含み、
前記第１画像信号及び前記第２画像信号がデュアルリンクの４：２：２信号である場合、前記第１ラスターラインと前記第２ラスターラインとは、複数のフレームに対応する複数の表示画面に含まれ、前記表示画面において前記第２ラスターラインのそれぞれは前記第１ラスターラインのそれぞれの隣に配置され、前記表示画面は隣り合う前記第１ラスターラインの一つと前記第２ラスターラインの一つとからなる組を複数含み、前記組のそれぞれにおいて前記第１垂直識別子が表す値は前記第２垂直識別子が表す値に等しく、前記表示画面が含む１つのフレームに対応する前記第１ラスターラインと前記第２ラスターラインとの総数は奇数であり、
当該信号種別判断装置は、
前記第１垂直ブランキングライン信号の一つであることを表す前記第１垂直識別子を含む前記第１垂直アクティブライン信号の一つ、又は、前記第２垂直ブランキングライン信号の一つであることを表す前記第２垂直識別子を含む前記第２垂直アクティブライン信号の一つが、前記第１の画像信号又は前記第２の画像信号に含まれるという第１色ビット数判定条件が満たされるか否かを判定し、前記第１色ビット数判定条件が満たされると判定した場合に、前記第１画像信号及び前記第２画像信号が４：２：２信号である旨の判断結果を出力し、前記第１色ビット数判定条件が満たされないと判定した場合に、前記第１画像信号及び前記第２画像信号が４：４：４信号である旨の判断結果を出力する、色ビット数判断部をさらに有する。
【請求項８】
請求項２から６の何れかの信号種別判断装置であって、
前記第１及び第２ラスターライン信号のそれぞれは、第１フィールドに属するか第２フィールドに属し、前記第１ラスターライン信号のそれぞれは、それぞれが前記第１フィールドに属するか前記第２フィールドに属するかを表す値を持つ第１フィールド識別子を含み、前記第２ラスターライン信号のそれぞれは、それぞれが前記第１フィールドに属するか前記第２フィールドに属するかを表す値を持つ第２フィールド識別子を含み、
前記第１ラスターライン信号は、垂直ブランキング期間での前記第１ラスターラインに対応する第１垂直ブランキングライン信号と、垂直アクティブ期間での前記第１ラスターラインに対応する第１垂直アクティブライン信号とを含み、前記第２ラスターライン信号は、垂直ブランキング期間での前記第２ラスターラインに対応する第２垂直ブランキングライン信号と、垂直アクティブ期間での前記第２ラスターラインに対応する第２垂直アクティブライン信号とを含み、
前記第１画像信号及び前記第２画像信号がデュアルリンクの４：２：２信号である場合、
前記第１ラスターラインと前記第２ラスターラインとは、複数のフレームに対応する複数の表示画面に含まれ、前記表示画面において前記第２ラスターラインのそれぞれは前記第１ラスターラインのそれぞれの隣に配置され、前記表示画面は隣り合う前記第１ラスターラインの一つと前記第２ラスターラインの一つとからなる組を複数含み、前記組のそれぞれにおいて前記第１フィールド識別子が表す値は前記第２フィールド識別子が表す値に等しく、前記複数のフレームは、前記第１フィールドに対応するフレームと前記第２フィールドに対応するフレームとを含み、前記表示画面が含む１つのフレームに対応する前記第１ラスターラインと前記第２ラスターラインとの総数は奇数であり、
前記第１ラスターライン信号の何れかである第１基準信号が含む前記第１フィールド識別子の値は、前記第１基準信号の次に前記第１入力部に入力される前記第１ラスターライン信号の一つが含む前記第１フィールド識別子の値と相違し、前記第１基準信号が前記第１入力部に入力されてからＳ番目後（Ｓは１正の整数定数）に前記第１入力部に入力される前記第１ラスターライン信号の一つは垂直ブランキング期間での前記第１ラスターラインの一つに対応し、
前記第２ラスターライン信号の何れかである第２基準信号が含む前記第２フィールド識別子の値は、前記第２基準信号の次に前記第２入力部に入力される前記第２ラスターライン信号の一つが含む前記第２フィールド識別子の値と相違し、前記第２基準信号が前記第２入力部に入力されてからＳ番目後に前記第２入力部に入力される前記第２ラスターライン信号の一つは垂直アクティブ期間での前記第２ラスターラインの一つに対応し、
前記表示画面において前記第２基準信号に対応する前記第２ラスターラインの一つは前記第１基準信号に対応する前記第１ラスターラインの一つの隣に配置され、
当該信号種別判断装置は、
前記第１又は第２基準信号が前記第１又は第２入力部に入力されてからＳ番目後に前記第１又は第２入力部に入力される前記第１又は第２ラスターライン信号の一つが垂直アクティブ期間での前記第１又は第２ラスターラインの一つに対応するという第２色ビット数判定条件が満たされるか否かを判定し、前記第２色ビット数判定条件が満たされると判定した場合に、前記第１画像信号及び前記第２画像信号が４：２：２信号である旨の判断結果を出力し、前記第２色ビット数判定条件が満たされないと判定した場合に、前記第１画像信号及び前記第２画像信号が４：４：４信号である旨の判断結果を出力する、色ビット数判断部をさらに有する。
【請求項９】
請求項１から８の何れかの信号種別判断装置であって、
前記第１画像信号及び前記第２画像信号は、所定数のビットを含むワードを複数含み、
前記第１画像信号及び前記第２画像信号がデュアルリンク信号である場合、
前記第１画像信号がリンクＡ信号であって前記第２画像信号がリンクＢ信号であるか、又は、前記第１画像信号がリンクＢ信号であって前記第２画像信号がリンクＡ信号であり、
前記リンクＢ信号が含む前記ワードの何れかは、前記ワードの何れかのビット誤りを検出するための誤り検出符号を所定位置に含むか、又は、所定値のビット又はビット列を含み、
当該信号種別判断装置は、
前記第１画像信号及び前記第２画像信号に含まれる何れかの前記ワードの前記所定位置のビット又はビット列を誤り検出符号とみなして、前記ワードの何れかの誤り検出処理を行い、及び／又は、前記ワードの何れかが前記所定値のビット又はビット列から構成されているかを判定し、前記第１画像信号に含まれる前記ワードの何れかに対する誤り検出結果が合格であるか、又は、前記第１画像信号に含まれる前記ワードが前記所定値のビット又はビット列から構成されている場合に、前記第１画像信号が前記リンクＢ信号である旨の判断結果を出力し、前記第２画像信号に含まれる前記ワードの何れかに対する誤り検出結果が合格であるか、又は、前記第２画像信号に含まれる前記ワードが前記所定値のビット又はビット列から構成されている場合に、前記第２画像信号が前記リンクＢ信号である旨の判断結果を出力する、リンク判断部をさらに有する。
【請求項１０】
請求項１から９の何れかの信号種別判断装置を有する画像表示装置。
【請求項１１】
請求項１０の画像表示装置であって、
請求項１から９の何れかの信号種別判断装置から出力された前記判断結果を、前記第１画像信号及び前記第２画像信号の信号種別選択表示の初期表示として表示する表示部と、
選択された信号種別の入力を受け付ける第３入力部と、
を有する画像表示装置。
【請求項１２】
複数の伝送線で伝送された画像信号の信号種別判断方法であって、
第１伝送線で伝送された第１画像信号と第２伝送線で伝送された第２画像信号との位相差が所定値未満であるかという位相差判定条件、又は、前記位相差が所定値以下であるかという位相差判定条件を判定するステップと、
前記位相差判定条件が満たされると判定された場合に、前記第１画像信号と前記第２画像信号とがデュアルリンク信号であると判断し、前記位相差判定条件が満たされないと判定された場合に、前記第１画像信号と前記第２画像信号とがシングルリンク信号であると判断するステップと、を有する。
【請求項１３】
請求項１２の信号種別判断方法であって、
前記第１画像信号は、複数の第１ラスターライン信号を含み、前記第１ラスターライン信号のそれぞれは、ラスター形式の第１画像に含まれる複数の第１ラスターラインのそれぞれに対応し、前記複数の第１ラスターライン信号は、垂直ブランキング期間での前記第１ラスターラインに対応する第１垂直ブランキングライン信号を含み、
前記第２画像信号は、複数の第２ラスターライン信号を含み、前記第２ラスターライン信号のそれぞれは、ラスター形式の第２画像に含まれる複数の第２ラスターラインのそれぞれに対応し、前記複数の第２ラスターライン信号は、垂直ブランキング期間での前記第２ラスターラインに対応する第２垂直ブランキングライン信号を含み、
当該信号種別判断方法は、
前記第１画像信号又は前記第２画像信号から前記第１垂直ブランキングライン信号又は前記第２垂直ブランキングライン信号が表す垂直ブランキング画像信号を抽出し、前記垂直ブランキング画像信号がＲＧＢフォーマットのものであるか、ＹＵＶフォーマットのものであるかを判定するステップと、
前記垂直ブランキング画像信号がＲＧＢフォーマットのものであると判定された場合に、前記第１画像信号及び前記第２画像信号がＲＧＢフォーマットの信号である旨の判断結果を出力し、前記垂直ブランキング画像信号がＹＵＶフォーマットのものであると判定された場合に、前記第１画像信号及び前記第２画像信号がＹＵＶフォーマットの信号である旨の判断結果を出力するステップと、をさらに有する。
【発明の詳細な説明】
【技術分野】
【０００１】
本発明は、複数の伝送線を伝送された画像信号の信号種別を判断する技術に関する。
【背景技術】
【０００２】
放送局などで画像信号の伝送に利用されるSDI(Serial Digital Interface)信号のうち、特にHD(High Definition television)画像を伝送するものをHD-SDI(High Definition television - Serial Digital Interface)信号と呼ぶ。【０００３】
HD-SDI信号は、ラスター形式の画像信号を複数チャネル分のシリアル信号として伝送するものである。例えば、サンプル比4:2:2のYUVフォーマット（「YCBCRフォーマット」と呼ぶ場合もある）のHD-SDI信号（YUV 4:2:2信号）を１本の伝送線（ケーブルやＬＡＮ等の有線又は無線の伝送路）で伝送する場合には、輝度信号（Y）に対応するYchと色差信号(Cb, Cr)に対応するCchとがシリアル信号として伝送される（例えば、非特許文献１参照）。この場合、クロックごとに、１サンプル分の輝度信号（Y）が10ビットで伝送され、１サンプル分の色差信号(Cb)又は(Cr)が交互に10ビットで伝送される。【０００４】
１本の伝送線で伝送できるHD-SDI信号の合計ビット幅は20ビットであり、ビットレートは1485Mbps〔ドットクロック(Dot CLK)74.25MHz〕である。よって、ビットレートが1485Mbpsの1080p30，1080p25，1080i60，1080i50などのYUV 4:2:2信号であれば、１本の伝送線のみで伝送できる（シングルリンク（Single Link）信号）。【０００５】
一方、色の情報量が多い信号であって各クロックで伝送する色サンプルデータの合計が20ビットを越えるものや、フレーム周波数が高い信号であってビットレートが1485Mbpsを越えるものは、２本の伝送線を用いて伝送される（デュアルリンク（Dual Link）信号／非特許文献２，３）。例えば、サンプル比4:4:4のYUVフォーマットの信号（YUV 4:4:4信号）の場合、クロックごとに、１サンプル分の輝度信号（Y），色差信号(Cb)，色差信号(Cr)がそれぞれ10ビットで伝送される。そのため、各クロックで伝送される色サンプルデータの合計は30ビットとなり、このような信号を１本の伝送線のみで伝送することはできない。また、例えば、フレーム周波数が1080p30の２倍である1080p60のビットレートは2970Mbpsとなり、このような信号を１本の伝送線のみで伝送することはできない。このような信号は２本の伝送線によって伝送される。【０００６】
また、通常、HD-SDI信号の水平ブランキング領域には、送信される信号がシングルリンク信号であるのかデュアルリンク信号であるのか等の信号種別を示す識別データ（FORMAT ID（「ペイロードＩＤ」と呼ばれる場合もある））が重畳される（例えば、非特許文献３参照）。HD-SDI信号を受信する装置は、この識別データを用いて受信信号の信号種別を識別し、その識別結果に基づいてHD-SDI信号を処理し、表示画面を生成する。
【先行技術文献】
【非特許文献】
【０００７】
【非特許文献１】SMPTE 0292-2008: 1.5 Gb/s Signal/Data Serial Interface
【非特許文献２】SMPTE 274M-2008: Television - 1920 x 1080 Image Sample Structure, Digital Representation and Digital Timing Reference Sequences for Multiple Picture Rates
【非特許文献３】SMPTE 372M-2009: Dual Link 1.5 Gb/s Digital Interface for 1920 x 1080 and 2048 x 1080 Picture Formats
【発明の概要】
【発明が解決しようとする課題】
【０００８】
上述の識別データ（FORMAT ID）は、非特許文献３で規格化されているものの、HD-SDI信号に必須のデータではない。そのため、識別データ（FORMAT ID）が重畳されていないHD-SDI信号が伝送されてくることもあり得る。従来、このようなHD-SDI信号が伝送されてきた場合には、その信号種別を判断することができなかった。なお、このような問題はHD-SDI信号のみに限定されるものではなく、信号種別を示す識別データが重畳されることなく、複数の伝送線を伝送されてくる画像信号に共通するものである。【０００９】
本発明はこのような点に鑑みてなされたものであり、複数の伝送線を伝送されてくる画像信号に信号種別を示す識別データが重畳されていなくても、それらの信号種別を判断することが可能な技術を提供することを目的とする。
【課題を解決するための手段】
【００１０】
本発明では、第１伝送線で伝送された第１画像信号と第２伝送線で伝送された第２画像信号との位相差が所定値未満であるかという位相差判定条件、又は、当該位相差が所定値以下であるかという位相差判定条件を判定し、位相差判定条件を満たすと判定された場合に、第１画像信号と第２画像信号とがデュアルリンク信号であると判断し、位相差判定条件を満たさないと判定された場合に、第１画像信号と第２画像信号とがシングルリンク信号であると判断する。
【発明の効果】
【００１１】
本発明では、複数の伝送線を伝送されてくる画像信号に信号種別を示す識別データが重畳されていなくても、それらの信号種別を判断することができる。
【図面の簡単な説明】
【００１２】
【図１】図１は、実施形態の画像表示装置の機能構成を説明するための図である。
【図２】図２は、実施形態の信号種別判断部の機能構成を説明するためのブロック図である。
【図３】図３Ａは、HD-SDI信号のデータフォーマットを説明するための図である。図３Ｂ及び図３Ｃは、EAV及びSAVのデータフォーマットを説明するための図である。図３Ｄは、XYZワードのデータフォーマットを説明するための図である。
【図４】図４Ａは、シングルリンクでYUV 4:2:2信号を伝送する場合のHD-SDI信号のデータフォーマットを説明するための図である。図４Ｂは、シングルリンクでプログレッシブ方式のYUV 4:2:2信号を伝送する場合のHD-SDI信号を説明するための図である。
【図５】図５Ａは、デュアルリンクでYUV 4:4:4信号やRGB 4:4:4信号を伝送する場合のHD-SDI信号のデータフォーマットを説明するための図である。図５Ｂ及び図５Ｃは、図５Ａに例示したLink BにおけるYchのVideo Dataの各ワードのデータフォーマットを説明するための図である。
【図６】図６は、デュアルリンクでYUV/RGB 4:4:4信号を伝送する場合のHD-SDI信号のデータフォーマットを説明するための図である。
【図７】図７は、デュアルリンクでYUV 4:2:2信号を伝送する場合のHD-SDI信号のデータフォーマットを説明するための図である。
【図８】図８は、デュアルリンクでYUV 4:2:2信号を伝送する場合のHD-SDI信号のデータフォーマットを説明するための図である。
【図９】図９は、デュアルリンクでYUV 4:2:2信号を伝送する場合のHD-SDI信号のデータフォーマットを説明するための図である。
【図１０】図１０は、実施形態の信号種別判別方法を説明するためのフローチャートである。
【図１１】図１１は、ステップＳ１０６の処理を説明するためのフローチャートである。
【図１２】図１２Ａ及び図１２Ｂは、4:2:2/4:4:4判定処理（ステップＳ１１５）を説明するためのフローチャートである。
【図１３】図１３は、Link A/B判定処理（ステップＳ１１７）を説明するためのフローチャートである。
【図１４】図１４は、信号種別判定処理を説明するためのフローチャートである。
【図１５】図１５は、入力部の一例を示す図である。
【図１６】図１６は、１つの伝送線で伝送されるHD-SDI信号が含む複数のラスターライン信号の関係を説明するための図である。
【図１７】図１７は、デュアルリンク信号の垂直識別子(V)及び水平識別子(H)の値の変化を例示するための図である。
【図１８】図１８Ａ及び図１８Ｂは、シングルリンク信号の垂直識別子(V)及び水平識別子(H)の値の変化を例示するための図である。
【図１９】図１９は、第４実施形態の信号種別判断部の機能構成を説明するためのブロック図である。
【図２０】図２０は、第４実施形態の信号種別判別方法を説明するためのフローチャートである。
【発明を実施するための形態】
【００１３】
以下、図面を参照して本発明の実施形態を説明する。
【００１４】
〔原理〕
まず、本形態の原理を説明する。
【００１５】
＜HD-SDI信号のデータフォーマット＞
図３Ａは、HD-SDI信号のデータフォーマットを説明するための図である。
【００１６】
１つの伝送線で伝送されたシリアルなHD-SDI信号は等価器（ケーブルイコライザ等）を介してデシリアライザ（シリアル／パラレル変換器）に入力され、２チャンネルのパラレルなHD-SDI信号に変換される。図３Ａは、その２チャンネルのパラレルなHD-SDI信号を示している。なお、HD-SDI信号は、ラスター形式の画像に含まれる複数のラスターラインのそれぞれに対応する信号を含む。ここで、各ラスターラインにそれぞれ対応するHD-SDI信号の部分を「ラスターライン信号」と呼ぶことにする。すなわち、HD-SDI信号は複数のラスターライン信号を含む。図３Ａに示すパラレルなHD-SDI信号は１ラスターライン分のラスターライン信号である。
【００１７】
図３Ａに示すように、各ラスターライン信号は、１９ビットから１０ビットまで（［19:10］）の１０ビット幅のチャネルと、９ビットから０ビットまで（［9:0］）の１０ビット幅のチャネルとを有する。各チャネルの信号は、同期信号であるEAV(End of Active Video)及びSAV(Start of Active Video)と、装置への入力順序に対応するインタフェースのライン番号を示すLN(Line No）と、巡回冗長検査のためのCRC(Cyclic Redundancy Check)符号と、水平ブランキング期間又は補助データ期間のデータであるANC(ANCyillary data)と、水平アクティブ期間のデータであるVideo Dataとを有する。ここで、垂直アクティブ期間のラスターラインに対応するラスターライン信号が含むVideo Dataは、垂直アクティブ期間の画像信号である垂直アクティブ画像信号（有効ラスターラインの信号）である。一方、垂直ブランキング期間に対応するラスターライン信号が含むVideo Dataは、垂直ブランキング期間の画像信号である垂直ブランキング画像信号又は垂直ブランキング期間の補助データである。以下、ラスターライン信号のうち、垂直ブランキング期間のラスターラインに対応するものを「垂直ブランキングライン信号」と呼び、垂直アクティブ期間のラスターラインに対応するものを「垂直アクティブライン信号」と呼ぶことにする。また、図３ＡのEAVからVideo Dataまでの期間（HTOTAL）は１ラスターラインに対応し、EAVからSAVまでの水平ブランキング期間（HBLANC）とVideo Dataの水平アクティブ期間（HDISP）とを含む。以下、ラスターライン信号が含む水平ブランキング期間（HBLANC）の領域を「水平ブランキング領域」と呼び、ラスターライン信号が含む水平アクティブ期間（HDISP）の領域を「水平アクティブ領域」と呼ぶことにする。
【００１８】
図３Ｂ及び図３Ｃは、EAV及びSAVのデータフォーマットを説明するための図である。
【００１９】
図３Ｂ及び図３Ｃに示すように、EAV及びSAVはそれぞれ４ワードからなる。先頭のワードはすべてのビットが１に設定されており（3FFh）、その後に続く２つのワードはすべてのビットが０に設定されている（000h）。４番目のワードはXYZワードと呼ばれ、タイミングビットやエラー保護ビットが含まれている。なお、***hとは、***が１６進法で表記されていることを示す。
【００２０】
図３Ｄは、XYZワードのデータフォーマットを説明するための図である。
【００２１】
図３Ｄに示すように、XYZワードは、オール１のビット、フィールド識別子(F)、垂直識別子(V)（「垂直情報」と呼ぶ場合もある）、水平識別子(H) （「水平情報」と呼ぶ場合もある）、４つのパリティビット(P3,P2,P1,P0)、オール０の２つのビットからなる計10ビットの信号である。
【００２２】
フィールド識別子(F)は、ラスターライン信号に対応するラスターラインが第１フィールドに属するか第２フィールドに属するかを示す値を持つ識別子である（F=0：第１フィールド、F=1：第２フィールド）。後述するように、１つの伝送線で伝送されたHD-SDI信号に含まれるラスターライン信号のそれぞれが表示画面の奇数番目のラスターラインを表す期間（期間１）と偶数番目のラスターラインを表す期間（期間２）とが存在し、期間１と期間２とが繰り返される方式が存在する。このような方式において、期間１，２の何れか一方を第１フィールドと呼び、他方を第２フィールドと呼ぶ。なお、１つの伝送線で伝送されたHD-SDI信号に含まれる複数のラスターライン信号がすべての期間において表示画面のすべてのラスターラインを表す方式の場合には、フィールド識別子(F)の値は常時F=0となる。
【００２３】
垂直識別子(V)は、ラスターラインが垂直ブランキング期間に対応するか否かを識別する値を持つ識別子である（V=1: 垂直ブランキング期間中、V=0:その他の期間）。すなわち、垂直識別子(V)は、それを含むラスターライン信号の一つが垂直ブランキングライン信号の一つであるか垂直アクティブライン信号の一つであるかを表す値を持つ。なお、同一のラスターライン信号に対応するEAV及びSAVが含む垂直識別子(V)の値は同一である。
【００２４】
水平識別子(H)は、EAVかSAVかを識別する識別子である（H=1:EAV、H=0:SAV）。ラスターライン信号をEAV, LN, CRC, ANC, SAV, Video Dataという順序の時系列でみた場合、水平識別子(H)が１である期間が水平ブランキング期間（HBLANC）であり、水平識別子(H)が０である期間が水平アクティブ期間（HDISP）である。すなわち、水平識別子(H)は、水平ブランキング領域又は水平アクティブ領域を特定するための値を持つ。
【００２５】
＜HD-SDI信号の信号種別＞
HD-SDI信号は、シングルリンク信号とデュアルリンク信号とに大別できる。シングルリンク信号は１つの伝送線で伝送され、１つの伝送線で伝送された信号によって表示画面が表される。デュアルリンク信号は２つの伝送線で伝送され、２つの伝送線でそれぞれ伝送された両方の信号によって表示画面が表される。なお、シングルリンク信号として信号を伝送することを「シングルリンクで信号を伝送する」といい、デュアルリンク信号として信号を伝送することを「デュアルリンクで信号を伝送する」という。
【００２６】
シングルリンク信号であるHD-SDI信号はYUVフォーマットの4:2:2信号である。一方、デュアルリンク信号であるHD-SDI信号は、YUVフォーマットの4:4:4信号、YUVフォーマットの4:2:2信号、又は、RGBフォーマットの4:4:4信号のいずれかである。デュアルリンク信号でありYUVフォーマットの4:2:2信号でもあるHD-SDI信号は、プログレッシブ方式（PRG）で表示される表示画面を表す。その他のHD-SDI信号は、インターレース方式（INT）又はプログレッシブ方式（PRG）で表示される表示画面を表す。これらをまとめると以下のようになる。
【００２７】
【表１】
2011004647.tif 000003
【００２８】
＜YUV 4:2:2信号（Single Link）のデータフォーマット＞
図４Ａは、シングルリンクでYUV 4:2:2信号を伝送する場合のHD-SDI信号のデータフォーマットを説明するための図である。なお、図４Ａでは、図３ＡのVideo Dataのみを示している。
【００２９】
図４Ａに例示するように、シングルリンクでYUV 4:2:2信号を伝送する場合、１９ビットから１０ビットまで（［19:10］）の１０ビット幅のチャネルが１ラスターライン分の輝度信号Y0,...,YN-1を伝送するためのYchとして用いられ、９ビットから０ビットまで（［9:0］）の１０ビット幅のチャネルが１ラスターライン分の色差信号Cb0,Cr0,...,CbM-1,CrM-1を伝送するためのCchとして用いられる。なお、図４Ａの例ではNは偶数であり、M=N/2を満たす。
【００３０】
図４Ｂは、シングルリンクでプログレッシブ方式のYUV 4:2:2信号を伝送する場合のHD-SDI信号を説明するための図である。図４Ｂでは１フレーム分のHD-SDI信号を例示する。また、YUV 4:2:2信号（Single Link）のデータフォーマットの場合、インタフェースのライン番号(LN)は、各ラスターラインに対応するラスターライン番号である。
【００３１】
図４Ｂの例では、ライン番号LN=1,...,1125に対応する複数のラスターラインが1フレームの表示画像（１画面）に対応する。図４Ｂの例では、ライン番号LN=1,...,41,1122,...,1125のラスターラインが垂直ブランキング期間（Blanking）のラスターラインとされ、ライン番号LN=42,...,1121のラスターラインが垂直アクティブ期間（Active）のラスターラインとされる。図４Ｂの例はプログレッシブ方式のものであるため、フィールド識別子は常時F=0である。また、垂直識別子は、ライン番号LN=1,...,41,1122,...,1125に対応するラスターラインに対してV=1となり、ライン番号LN=42,...,1121に対応するラスターラインに対してV=0となる。
【００３２】
＜YUV/RGB 4:4:4信号（Dual Link）のデータフォーマット＞
図５Ａは、デュアルリンクでYUV 4:4:4信号やRGB 4:4:4信号を伝送する場合のHD-SDI信号のデータフォーマットを説明するための図である。なお、図５Ａでは、図３ＡのVideo Dataのみを示している。
【００３３】
図５Ａに例示するように、デュアルリンクでYUV 4:4:4信号やRGB 4:4:4信号を伝送する場合、一方の伝送線でビット幅20ビットのLink Aの信号が伝送され、他方の伝送線でビット幅20ビットのLink Bの信号が伝送される。
【００３４】
Link Aでは、１９ビットから１０ビットまで（［19:10］）の１０ビット幅のチャネルが１ラスターライン分の輝度信号Y0,...,YN-1又は色信号G0,...,GN-1を伝送するためのYchとして用いられ、９ビットから０ビットまで（［9:0］）の１０ビット幅のチャネルが１ラスターライン分の色差信号Cb0,Cr0,Cb2,Cr2,...,CbN-2,CrN-2又は色信号B0,R0,B2,R2,...,BN-2,RN-2を伝送するためのCchとして用いられる。また、Link Bでは、１９ビットから１０ビットまで（［19:10］）の１０ビット幅のチャネルが各種データを伝送するためのアルファチャネルとして用いられるか又はブランキングとされ、９ビットから０ビットまで（［9:0］）の１０ビット幅のチャネルが１ラスターライン分の色差信号Cb1,Cr1,Cb3,Cr3,...,CbN-1,CrN-1又は色信号B1,R1,B3,R3,...,BN-1,RN-1を伝送するためのCchとして用いられる。なお、図５Ａの例ではNは偶数である。
【００３５】
図５Ｂ及び図５Ｃは、図５Ａに例示したLink BにおけるYchのVideo Dataの各ワードのデータフォーマットを説明するための図である。なお、図５Ｂは、Link BのYchがアルファチャネルとして用いられる場合のデータフォーマットを例示し、図５Ｃは、Link BのYchがアルファチャネルとして用いられない場合のデータフォーマットを例示する。
【００３６】
Link BのYchがアルファチャネルとして用いられる場合、図５Ｂに例示するように、ワードAn(n=0,...,N-1)のビットb7からb0の8ビットは各種のデータ(Data)であり、ビットb8はビットb7からb0の誤り検出のためのパリティビット(P)（例えば、ビットb7からb0の排他的論理和値）であり、ビットb9はビットb8の反転ビット(P-)である。一方、Link BのYchがアルファチャネルとして用いられない場合、図５Ｃに例示するように、ワードAnが"0001100100"(64h)とされるか"0001000000"(40h/All Blanking)とされる。なお、Link BのYchがアルファチャネルとして用いられるか否かはアプリケーションによって定められる。
【００３７】
図６は、デュアルリンクでYUV/RGB 4:4:4信号を伝送する場合のHD-SDI信号のデータフォーマットを説明するための図である。
【００３８】
図６の例では、ライン番号LN=1,...,1125に対応する複数のラスターラインが1フレームの表示画像（１画面）に対応する。図６の例では、Link A 及び Link Bともに、ライン番号LN=1,...,41,1122,...,1125のラスターラインが垂直ブランキング期間（Blanking）のラスターラインとされ、ライン番号LN=42,...,1121のラスターラインが垂直アクティブ期間（Active）のラスターラインとされる。図６の例はプログレッシブ方式のものであるため、フィールド識別子は常時F=0である。また、垂直識別子は、ライン番号LN=1,...,41,1122,...,1125に対応するラスターラインに対してV=1となり、ライン番号LN=42,...,1121に対応するラスターラインに対してV=0となる。
【００３９】
＜YUV 4:2:2信号（Dual Link）のデータフォーマット＞
図７から９は、デュアルリンクでYUV 4:2:2信号を伝送する場合のHD-SDI信号のデータフォーマットを説明するための図である。
【００４０】
デュアルリンクでYUV 4:2:2信号を伝送する場合、Link A又はBの何れか一方のHD-SDI信号が表示画面における奇数番目のラスターラインのデータを伝送し、他方のHD-SDI信号が表示画面における偶数番目のラスターラインのデータを伝送する。図７に例示するように、各LinkのYch及びCchのデータフォーマットは、図４Ａに例示したYUV 4:2:2信号（Single Link）と同様である。
【００４１】
また、図８に例示するように、デュアルリンクでYUV 4:2:2信号が伝送される場合、Link Aのラスターラインに対応するフィールド識別子(F)の値及び垂直識別子(V)の値は、当該Link Aのラスターラインと同一のライン番号(LN)に対応するLink Bのラスターラインに対応するフィールド識別子(F)の値及び垂直識別子(V)の値とそれぞれ同一である。デュアルリンクでYUV 4:2:2信号が伝送される場合、HD-SDI信号中に含まれるライン番号(LN)は、表示画面に含まれるラスターラインの番号(ラスターライン番号(RLN))と相違する。言い換えると、Link Aのラスターラインに対応するラスターライン番号(RLN)は、当該Link Aのラスターラインと同一のライン番号(LN)に対応するLink Bのラスターラインのラスターライン番号(RLN)と相違する。すなわち、各フレームを構成する各ラスターラインは交互にLink AのHD-SDI信号とLink BのHD-SDI信号とにマッピングされており（図９参照）、フレーム中で隣り合う２個のラスターラインからなる組ごとに同一のライン番号(LN)が対応している。例えば、ライン番号LN=１のLink AのHD-SDI信号には、ラスターライン番号RLN=２のラスターラインがマッピングされ、ライン番号LN=１のLink BのHD-SDI信号には、ラスターライン番号RLN=３のラスターラインがマッピングされている。
【００４２】
また、図８及び９の例では、ライン番号LN=1,...,1125に対応する複数のラスターラインは２フレームの表示画像（２画面）に対応する。また、１フレームの表示画像（１画面）を構成するラスターライン数は奇数（図８及び９の例では1125）である。そのため、各フレームを構成する各ラスターラインが交互にLink A及びBのHD-SDI信号にマッピングされた場合、Link AのHD-SDI信号に偶数番目のラスターラインがマッピングされ、Link BのHD-SDI信号に奇数番目のラスターラインがマッピングされる期間（ライン番号LN=1,...,562の期間／フィールド１）と、Link AのHD-SDI信号に奇数番目のラスターラインがマッピングされ、Link BのHD-SDI信号に偶数番目のラスターラインがマッピングされる期間（ライン番号LN=563,...,1125の期間／フィールド２）とが交互に繰り返される。言い換えると、Link BのHD-SDI信号が表示画面における奇数番目のラスターラインのデータを伝送し、Link AのHD-SDI信号が表示画面における偶数番目のラスターラインのデータを伝送する期間（フィールド１）と、Link AのHD-SDI信号が表示画面における奇数番目のラスターラインのデータを伝送し、Link BのHD-SDI信号が表示画面における偶数番目のラスターラインのデータを伝送する期間（フィールド２）とが繰り返される。
【００４３】
上述のように、デュアルリンクでYUV 4:2:2信号が伝送される場合、同一のライン番号(LN)に対応するLink Aでのフィールド識別子(F)の値とLink Bでのフィールド識別子(F)の値とは互いに同一であり、フレーム中で隣り合う２個のラスターラインからなる組ごとに同一値のフィールド識別子(F)が対応付けらる。すなわち、Link A及びBともに、ライン番号LN=1,...,563でのフィールド識別子(F)の値は、第１フィールド(Field 1)を示すF=0であり、ライン番号LN=564,...,1125でのフィールド識別子(F)の値は、第２フィールド(Field 2)を示すF=1である。
【００４４】
また、デュアルリンクでYUV 4:2:2信号が伝送される場合、同一のライン番号(LN)に対応するLink Aでの垂直識別子(V)の値とLink Bでの垂直識別子(V)の値とは互いに同一である。図８の例では、Link A及びBともに、ライン番号LN=1,...,20,561,...,583,1123,...,1125に対応する識別子(V)の値はV=1であり、ライン番号LN=21,...,560,584,...,1123に対応する識別子(V)の値はV=0である。つまり、フレーム中で隣り合う２個のラスターラインからなる組ごとに、同一値の垂直識別子(V)が対応付けられる。しかしながら、図９に例示するように、１フレーム中の実際の垂直ブランキング期間（Blanking）、すなわち、実際にVideo Dataが垂直ブランキング画像信号又は補助データである期間は、ラスターライン番号RLN=1,...,41,1122,...,1125のラスターラインであり、１フレーム中の実際の垂直アクティブ期間（Active）、すなわち、実際にVideo Dataがアクティブ画像信号である期間は、ラスターライン番号RLN=42,...,1121のラスターラインである。そのため、図８に例示するように、Link Bのライン番号LN=583（ラスターライン番号RLN=42）のHD-SDI信号は、垂直識別子が垂直ブランキング期間を示す値V=1であるにもかかわらず、Video Dataがアクティブ画像信号である。このLink Bのライン番号LN=583のHD-SDI信号は、Link Bにマッピングされたラスターラインの系列のうち、フィールド識別子FがF=0からF=1に立ち上がった時点でのライン番号LN=564のラスターラインからカウントして20番目のラスターラインのHD-SDI信号に相当する。言い換えると、このLink Bのライン番号LN=583のラスターライン信号は、フィールド識別子FがF=0からF=1に立ち上がった時点でのラスターライン（ライン番号LN=564）の１９個後のラスターラインに対応する。
【００４５】
このように垂直識別子(V)が垂直ブランキング期間を示す値V=1であるにもかかわらず、Video Dataがアクティブ画像信号となるラスターラインが生じるのは、１フレームを構成するラスターライン数が奇数であること、各フレームを構成する各ラスターラインが交互にLink AとLink Bとにマッピングされること、フレーム中で隣り合う２個のラスターラインからなる組ごとに、同一値の垂直識別子(V)が対応付けられることに基づく。
【００４６】
＜シングルリンク信号とデュアルリンク信号との判別方法＞
HD-SDI信号がデュアルリンク信号として２本の伝送線で伝送される場合、各伝送線で伝送されるHD-SDI信号の位相差を規定値未満（遅延時間40nsec未満に相当）としなければならないことがSMPTEの規格で定められている（非特許文献２，３参照）。
【００４７】
本形態では、このことを利用し、伝送されたHD-SDI信号がシングルリンク信号であるかデュアルリンク信号であるかを判定する。すなわち、本形態では、第１伝送線を伝送されて第１入力部に入力されたHD-SDI信号（第１画像信号）と、第２伝送線を伝送されて第２入力部に入力されたHD-SDI信号（第２画像信号）との位相差が所定値未満であるかという位相差判定条件、又は、位相差が所定値以下であるかという位相差判定条件が判定され、位相差判定条件を満たすと判定された場合に、第１画像信号と第２画像信号とがデュアルリンク信号であると判断され、位相差判定条件を満たさないと判定された場合に、第１画像信号と第２画像信号がそれぞれ別個なシングルリンク信号であると判断される。なお、この判定に用いる「所定値」の具体例は、上述の規格で定められている「規定値」である。
【００４８】
＜RGBフォーマットとYUVフォーマットとの判別方法＞
RGBフォーマットのHD-SDI信号とYUVフォーマットのHD-SDI信号とでは、垂直ブランキング期間のVideo Dataである垂直ブランキング画像信号の値が異なる。すなわち、RGBフォーマットでは、Ych及びCchともに、垂直ブランキング画像信号の各ワードが"0001000000"(40h)とされる。一方、YUVフォーマットでは、Ychの垂直ブランキング画像信号の各ワードが"0001000000"(40h)とされ、Cchの垂直ブランキング画像信号の各ワードが"1000000000"(200h)とされる。
【００４９】
本形態では、このことを利用し、伝送されたHD-SDI信号がRGBフォーマットの信号であるかYUVフォーマットのHD-SDI信号であるかを判定する。すなわち、前述のように、第１伝送線を伝送されたHD-SDI信号（第１画像信号）と第２伝送線を伝送されたHD-SDI信号（第２画像信号）とは、それぞれ、垂直アクティブ期間のラスターラインに対応する垂直アクティブ信号と垂直ブランキング期間のラスターラインに対応する垂直ブランキング信号とを含む。言い換えると、第１画像信号は複数の第１ラスターライン信号を含み、第２画像信号は複数の第２ラスターライン信号を含む。複数の第１ラスターライン信号は、垂直ブランキング期間での第１ラスターラインに対応する第１垂直ブランキングライン信号を含む。複数の第２ラスターライン信号は、垂直ブランキング期間での第２ラスターラインに対応する第２垂直ブランキングライン信号を含む。
【００５０】
本形態では、第１画像信号又は第２画像信号から、第１垂直ブランキングライン信号又は第２垂直ブランキングライン信号が表す垂直ブランキング画像信号が抽出され、当該垂直ブランキング画像信号がＲＧＢフォーマットのものであるか、ＹＵＶフォーマットのものであるかが判定される。そして、垂直ブランキング画像信号がＲＧＢフォーマットのものであると判定された場合に、第１画像信号及び第２画像信号がＲＧＢフォーマットの信号であると判断される。一方、垂直ブランキング画像信号がＹＵＶフォーマットのものであると判定された場合に、第１画像信号及び第２画像信号がＹＵＶフォーマットの信号であると判断される。
【００５１】
＜デュアルリンクのYUV 4:2:2信号とYUV/RGB 4:4:4信号との判別方法１＞
図８及び図９に例示したように、デュアルリンクのYUV 4:2:2信号では、１フレームを構成するラスターライン数が奇数であり、各フレームの表示画面に含まれる各ラスターラインが交互にLink AとLink Bとにマッピングされ、各フレームの表示画面中で隣り合う２個のラスターラインからなる組ごとに同一値の垂直識別子(V)が対応付けられる。この場合、垂直識別子(V)が垂直ブランキング期間を示す値V=1であるにもかかわらず、Video Dataがアクティブ画像信号となるラスターラインが生じる（RLN=42）。一方、デュアルリンクのYUV/RGB 4:4:4信号は、各フレームの表示画面に含まれる各ラスターラインが交互にLink AとLink Bとにマッピングされたものではない（図５Ａ及び図６参照）。そのため、デュアルリンクのYUV/RGB 4:4:4信号では、垂直識別子(V)が垂直ブランキング期間を示す値V=1であるにもかかわらず、Video Dataがアクティブ画像信号となるラスターラインは生じない。
【００５２】
本形態では、このことを利用し、伝送されたHD-SDI信号がデュアルリンクの４：２：２信号であるか、デュアルリンクの４：４：４信号であるかを判定する。
【００５３】
すなわち、前述のように、第１伝送線を伝送されたHD-SDI信号（第１画像信号）及び第２伝送線を伝送されたHD-SDI信号（第２画像信号）は、各フレームの表示画面に含まれるラスターラインごとに区分されている。言い換えると、第１画像信号は、複数の第１ラスターライン信号を含み、第２画像信号は、複数の第２ラスターライン信号を含む。また、各HD-SDI信号は、各ラスターラインが垂直ブランキング期間に対応するか否かを識別する垂直識別子(V)を含む。言い換えると、第１ラスターライン信号は、垂直ブランキング期間での第１ラスターラインに対応する第１垂直ブランキングライン信号と、垂直アクティブ期間での第１ラスターラインに対応する第１垂直アクティブライン信号とを含む。第１ラスターライン信号のそれぞれは、それぞれが第１垂直アクティブライン信号の一つであるか第１垂直ブランキングライン信号の一つであるかを表す値を持つ第１垂直識別子を含む。また、第２ラスターライン信号は、垂直ブランキング期間での第２ラスターラインに対応する第２垂直ブランキングライン信号と、垂直アクティブ期間での第２ラスターラインに対応する第２垂直アクティブライン信号とを含む。第２ラスターライン信号のそれぞれは、それぞれが第２垂直アクティブライン信号の一つであるか第２垂直ブランキングライン信号の一つであるかを表す値を持つ第２垂直識別子を含む。
【００５４】
また、１フレームを構成するラスターライン数は奇数であり、第１画像信号及び第２画像信号がデュアルリンクの４：２：２信号である場合、各フレームを構成する各ラスターラインは交互に第１画像信号と第２画像信号とにマッピングされており、フレームの表示画面中で隣り合う２個のラスターラインからなる組ごとに同一値の垂直識別子(V)が対応している。言い換えると、第１画像信号及び第２画像信号がデュアルリンクの４：２：２信号である場合、第１ラスターラインと第２ラスターラインとは、複数のフレームに対応する複数の表示画面に含まれ、表示画面において第２ラスターラインのそれぞれは第１ラスターラインのそれぞれの隣に配置され、表示画面は隣り合う第１ラスターラインの一つと第２ラスターラインの一つとからなる組を複数含み、組のそれぞれにおいて第１垂直識別子が表す値は第２垂直識別子が表す値に等しく、表示画面が含む１つのフレームに対応する第１ラスターラインと第２ラスターラインとの総数は奇数である。
【００５５】
本形態では、垂直識別子(V)が垂直ブランキング期間に対応すると識別するラスターライン(V=1)であるにもかかわらずアクティブ画像信号を含むものが、第１画像信号又は第２画像信号に存在することが確認される。垂直識別子が垂直ブランキング期間に対応すると識別するラスターラインであるにもかかわらずアクティブ画像信号を含むものが、第１画像信号又は第２画像信号に存在する場合には、第１画像信号及び第２画像信号が４：２：２信号であると判断され、そのようなラスターラインが存在しない場合には、第１画像信号及び第２画像信号が４：４：４信号であると判断される。言い換えると、本形態では、第１垂直ブランキングライン信号の一つであることを表す第１垂直識別子を含む第１垂直アクティブライン信号の一つ、又は、第２垂直ブランキングライン信号の一つであることを表す第２垂直識別子を含む第２垂直アクティブライン信号の一つが、第１の画像信号又は第２の画像信号に含まれるという第１色ビット数判定条件が満たされるか否かが判定される。ここで、第１色ビット数判定条件が満たされると判定された場合、第１画像信号及び第２画像信号が４：２：２信号であると判断される。一方、第１色ビット数判定条件が満たされないと判定された場合、第１画像信号及び第２画像信号が４：４：４信号であると判断される。
【００５６】
なお、ここでは、垂直識別子(V)が垂直ブランキング期間に対応すると識別するラスターラインであるにもかかわらずアクティブ画像信号を含むものが、第１画像信号又は第２画像信号に存在する場合に、第１画像信号及び第２画像信号が４：２：２信号であると判断される例を示した。しかしながら、垂直識別子(V)が垂直ブランキング期間に対応すると識別するラスターラインであるにもかかわらずアクティブ画像信号を含むものが、第１画像信号又は第２画像信号に存在し、なおかつ、垂直識別子(V)が垂直アクティブ期間に対応すると識別するラスターラインであるにもかかわらずブランキング画像信号を含むもの（例えば、図８のRLN=1122のラスターライン）が、第１画像信号又は第２画像信号に存在する場合に、第１画像信号及び第２画像信号が４：２：２信号であると判断されることにしてもよい。
【００５７】
＜デュアルリンクのYUV 4:2:2信号とYUV/RGB 4:4:4信号との判別方法２＞
また、前述のように、第１画像信号及び第２画像信号がデュアルリンクの４：２：２信号である場合、各フレームの表示画面中で隣り合う２個のラスターラインからなる組ごとに同一値のフィールド識別子(F)が対応している。ここで、第１画像信号又は第２画像信号の一方（図８の例ではLink Bの信号）にマッピングされたラスターラインの系列の中で、１つ前のラスターライン（図８の例ではRLN=2）に対してフィールド識別子の値が変化したラスターライン（図８の例ではRLN=4）からＳ個（Ｓは正の整数／図８の例ではS=19）後のラスターライン（図８の例ではRLN=42）は、アクティブ期間のラスターラインである。また、第１画像信号又は第２画像信号の他方（図８の例ではLink Aの信号）にマッピングされたラスターラインの系列の中で、１つ前のラスターライン（図８の例ではRLN=1）に対してフィールド識別子の値が変化したラスターライン（図８の例ではRLN=3）からＳ個後のラスターライン（図８の例ではRLN=41）は、垂直ブランキング期間のラスターラインである。
【００５８】
言い換えると、第１及び第２ラスターライン信号のそれぞれは、第１フィールドに属するか第２フィールドに属し、第１ラスターライン信号のそれぞれは、それぞれが第１フィールドに属するか第２フィールドに属するかを表す値を持つ第１フィールド識別子を含み、第２ラスターライン信号のそれぞれは、それぞれが第１フィールドに属するか第２フィールドに属するかを表す値を持つ第２フィールド識別子を含む。第１ラスターライン信号は、垂直ブランキング期間での第１ラスターラインに対応する第１垂直ブランキングライン信号と、垂直アクティブ期間での第１ラスターラインに対応する第１垂直アクティブライン信号とを含み、第２ラスターライン信号は、垂直ブランキング期間での第２ラスターラインに対応する第２垂直ブランキングライン信号と、垂直アクティブ期間での第２ラスターラインに対応する第２垂直アクティブライン信号とを含む。第１画像信号及び第２画像信号がデュアルリンクの４：２：２信号である場合、第１ラスターラインと第２ラスターラインとは、複数のフレームに対応する複数の表示画面に含まれ、表示画面において第２ラスターラインのそれぞれは第１ラスターラインのそれぞれの隣に配置され、表示画面は隣り合う第１ラスターラインの一つと第２ラスターラインの一つとからなる組を複数含み、当該組のそれぞれにおいて第１フィールド識別子が表す値は第２フィールド識別子が表す値に等しい。この場合、複数のフレームは、第１フィールドに対応するフレームと第２フィールドに対応するフレームとを含み、表示画面が含む１つのフレームに対応する第１ラスターラインと第２ラスターラインとの総数は奇数である。さらにこの場合、第１ラスターライン信号の何れかである第１基準信号が含む第１フィールド識別子の値は、第１基準信号の次に第１入力部に入力される第１ラスターライン信号の一つが含む第１フィールド識別子の値と相違し、第１基準信号が第１入力部に入力されてからＳ番目後（Ｓは１正の整数定数）に第１入力部に入力される第１ラスターライン信号の一つは垂直ブランキング期間での第１ラスターラインの一つに対応する。さらにこの場合、第２ラスターライン信号の何れかである第２基準信号が含む第２フィールド識別子の値は、第２基準信号の次に第２入力部に入力される第２ラスターライン信号の一つが含む第２フィールド識別子の値と相違し、第２基準信号が第２入力部に入力されてからＳ番目後に第２入力部に入力される第２ラスターライン信号の一つは垂直アクティブ期間での第２ラスターラインの一つに対応する。さらにこの場合、表示画面において第２基準信号に対応する第２ラスターラインの一つは第１基準信号に対応する第１ラスターラインの一つの隣に配置される。
【００５９】
以上のようなデュアルリンクの４：２：２信号の特徴を利用し、以下のように信号種別が判断されてもよい。まず、第１画像信号又は第２画像信号にマッピングされたラスターラインの系列に対し、１つ前のラスターラインに対してフィールド識別子の値が変化したラスターラインからＳ個後のラスターラインがアクティブ画像信号を含むことが確認される。ここで、Ｓ個後のラスターラインがアクティブ画像信号を含むと確認された場合に、第１画像信号及び第２画像信号が４：２：２信号であると判断される。一方、Ｓ個後のラスターラインがアクティブ画像信号を含まない場合に、第１画像信号及び第２画像信号が４：４：４信号であると判断される。言い換えると、第１又は第２基準信号が第１又は第２入力部に入力されてからＳ番目後に第１又は第２入力部に入力される第１又は第２ラスターライン信号の一つが垂直アクティブ期間での第１又は第２ラスターラインの一つに対応するという第２色ビット数判定条件が満たされるか否かが判定される。ここで、第２色ビット数判定条件が満たされると判定された場合、第１画像信号及び第２画像信号が４：２：２信号であると判断される。一方、第２色ビット数判定条件が満たされないと判定された場合、第１画像信号及び第２画像信号が４：４：４信号であると判断される。
【００６０】
＜デュアルリンクのYUV/RGB 4:4:4信号のLink AとBとの判別方法＞
図５Ａから図５Ｃに例示したように、デュアルリンクのYUV/RGB 4:4:4信号のLink BのYchはアルファチャネルとして利用されるかブランキングとされる。
【００６１】
本形態では、このことを利用し、伝送されたデュアルリンクのYUV/RGB 4:4:4信号のLink AとLink Ｂとを判別する。すなわち、前述のように、第１伝送線を伝送されたHD-SDI信号（第１画像信号）及び第２伝送線を伝送されたHD-SDI信号（第２画像信号）は、所定数のビットを含むワードを複数含む。第１画像信号及び第２画像信号がデュアルリンク信号である場合、所定数のビットからなるワードを複数含むリンクＡ信号及びリンクＢ信号を含む信号である。言い換えると、第１画像信号がリンクＡ信号であって第２画像信号がリンクＢ信号であるか、又は、第１画像信号がリンクＢ信号であって第２画像信号がリンクＡ信号である。リンクＢ信号の少なくとも一部のワードは、当該ワード中の所定ビット位置に、当該ワードのビット誤りを検出するための誤り検出符号（図５Ｂの例ではビットb8及びb9）を含むか、又は、所定値のビット又はビット列（図５Ｃの例では64h or All Blanking）から構成されている（図５に例示）。言い換えると、リンクＢ信号が含むワードの何れかは、ワードの何れかのビット誤りを検出するための誤り検出符号を所定位置に含むか、又は、所定値のビット又はビット列を含む。
【００６２】
本形態では、第１画像信号及び第２画像信号のワードに対し、当該ワード中の所定ビット位置のビット又はビット列（図５Ｂの例ではビットb8及びb9）を誤り検出符号とした誤り検出処理が行われ、及び／又は、当該ワードが所定値のビット又はビット列（図５Ｃの例では64h or All Blanking）から構成されているかの確認が行われる。ここで、第１画像信号のワードに対する誤り検出結果が合格であるか、又は、当該ワードが所定値のビット又はビット列から構成されている場合、第１画像信号がリンクＢ信号であると判断される。一方、第２画像信号のワードに対する誤り検出結果が合格であるか、又は、当該ワードが所定値のビットから構成されている場合に、第２画像信号がリンクＢ信号であると判断される。言い換えると、第１画像信号及び第２画像信号に含まれる何れかのワードの所定位置のビット又はビット列を誤り検出符号とみなして、ワードの何れかの誤り検出処理が行われ、及び／又は、ワードの何れかが所定値のビット又はビット列から構成されているかが判定される。ここで、第１画像信号に含まれるワードの何れかに対する誤り検出結果が合格であるか、又は、第１画像信号に含まれるワードが所定値のビット又はビット列から構成されている場合に、第１画像信号がリンクＢ信号であると判断される。一方、第２画像信号に含まれるワードの何れかに対する誤り検出結果が合格であるか、又は、第２画像信号が含むワードが所定値のビット又はビット列から構成されている場合に、第２画像信号がリンクＢ信号であると判断される。
【００６３】
〔第１実施形態〕
次に、本発明の第１実施形態を説明する。
【００６４】
図１は、実施形態の画像表示装置１の機能構成を説明するための図である。
【００６５】
図１に例示するように、本形態の画像表示装置１は、上述した原理に基づいて信号種別を判定する信号種別判断部１００と、等価器及びデシリアライザを含むインタフェース部（I/F）１１ａ，１１ｂ（第１，２入力部）と、レジスタ１２と、マイクロコンピュータ等の制御部１３と、セレクタ１４と、位相合わせ（遅延吸収）用のメモリ１５ａ，１５ｂと、デマルチプレクサ１６と、ＹＵＶフォーマットの信号をＲＧＢフォーマットの信号に変換するマトリクス回路であるＲＧＢ変換部１７と、ＬＣＤ（Liquid Crystal Display：液晶ディスプレイ）１８とを有する。
【００６６】
図２は、実施形態の信号種別判断部１００の機能構成を説明するためのブロック図である。図２に例示するように、本形態の信号種別判断部１００は、位相差判断部１１０と、色フォーマット判断部１２０と、色ビット数判断部１３０と、リンク判断部１４０とを有する。また、位相差判断部１１０は、遅延時間判定部１１１と、ライン番号判定部１１２と、判定部１１３とを有する。
【００６７】
図１０は、実施形態の信号種別判別方法を説明するためのフローチャートである。
【００６８】
第１，２の伝送線（ケーブルやＬＡＮ等の有線又は無線の伝送路）をそれぞれ伝送されたシリアルなHD-SDI信号（Serial-1，2）は、それぞれ、インタフェース部（I/F）１１ａ，１１ｂに入力される。インタフェース部（I/F）１１ａ，１１ｂは、入力されたシリアルなHD-SDI信号（Serial-1）及びHD-SDI信号（Serial-2）を、それぞれ、パラレルなHD-SDI信号（Video-1：第１画像信号）及びパラレルなHD-SDI信号（Video-2：第２画像信号）に変換して出力する。なお、パラレルなHD-SDI信号のデータフォーマットは、図３Ａ−Ｄに例示した通りである。
【００６９】
インタフェース部（I/F）１１ａ，１１ｂから出力されたHD-SDI信号（Video-1)及びHD-SDI信号（Video-2)は、信号種別判断部１００の位相差判断部１１０に入力される。位相差判断部１１０は、HD-SDI信号（Video-1)とHD-SDI信号（Video-2)との位相差が所定値未満であるかという位相差判定条件を判定し、位相差判定条件を満たすと判定された場合に、HD-SDI信号（Video-1)とHD-SDI信号（Video-2)とがデュアルリンク信号であると判断し、位相差判定条件を満たさないと判定された場合に、HD-SDI信号（Video-1)とHD-SDI信号（Video-2)とがシングルリンク信号である旨の判断結果を出力する（図１０／ステップＳ１０１〜Ｓ１０５）。
【００７０】
前述のように、インタフェース部（I/F）１１ａ，１１ｂに入力されたHD-SDI信号が含むラスターライン信号のそれぞれは、それぞれがインタフェース部（I/F）１１ａ，１１ｂに入力される順序に対応する第１，２ライン番号(LN)を含む。本形態では、まず、遅延時間判定部１１１（図２）が、HD-SDI信号（Video-1)とHD-SDI信号（Video-2)とを入力とし、HD-SDI信号（Video-1)に含まれる第１ライン番号(LN)の一つとHD-SDI信号（Video-2)に含まれる第２ライン番号(LN)の一つとの間の遅延時間を測定する（ステップＳ１０１）。さらに、遅延時間判定部１１１は、当該HD-SDI信号（Video-1)に含まれる第１ライン番号(LN)の一つが入力されてからHD-SDI信号（Video-2)に含まれる第２ライン番号(LN)の一つが入力されるまでの遅延時間の大きさが所定の閾値未満であるかという遅延時間判定条件(｜遅延時間｜＜閾値)を判定する（ステップＳ１０２）。なお、第１ライン番号(LN)の一つがインタフェース部（I/F）１１ａに受信されてから、第２ライン番号(LN)の一つがインタフェース部（I/F）１１ｂに受信されるまでの時間を「遅延時間」としてもよいし、第１ライン番号(LN)の一つが遅延時間判定部１１１に入力されてから、第２ライン番号(LN)の一つが遅延時間判定部１１１に入力されるまでの時間を「遅延時間」としてもよい。また、閾値の一例は、伝送規格で定められたデュアルリンク信号間の遅延時間の許容値（例えば、40nsec）である。また、｜遅延時間｜＜閾値を判定する代わりに、｜遅延時間｜≦閾値（遅延時間の大きさが所定の閾値以下であるかという遅延時間判定条件）を判定してもよい。遅延時間判定部１１１での判定結果は、遅延時間判定部１１１から出力され、判定部１１３に入力される。
【００７１】
ステップＳ１０２でＹｅｓと判定された場合、ライン番号判定部１１２が、HD-SDI信号（Video-1)とHD-SDI信号（Video-2)とを入力とし、ステップＳ１０２で遅延時間が測定された第１ライン番号(LN)の一つと第２ライン番号(LN)の一つとが同一番号であるかを判定する（ステップＳ１０３）。ライン番号判定部１１２での判定結果は、ライン番号判定部１１２から出力され、判定部１１３に入力される。
【００７２】
ステップＳ１０３でＹｅｓと判定された場合、判定部１１３は、上述の位相差判定条件が満たされると判定し、HD-SDI信号（Video-1)とHD-SDI信号（Video-2)とがデュアルリンク信号であると判断してその判断結果（Dual）を出力し（ステップＳ１０４）、YUV/RGB判断処理、4:2:2/4:4:4判断処理、Link A/B判断処理に進む（ステップＳ１０６）。
【００７３】
一方、ステップＳ１０２又はＳ１０３でＮｏと判定された場合、判定部１１３は、上述の位相差判定条件が満たされないと判定し、HD-SDI信号（Video-1)とHD-SDI信号（Video-2)とがシングルリンク信号であると判断してその判断結果（Single）を出力し（ステップＳ１０５）、信号種別判断部１００の処理を終了する。
【００７４】
図１１は、ステップＳ１０６の処理を説明するためのフローチャートである。
【００７５】
ステップＳ１０６では、まず、色フォーマット判断部１２０が、HD-SDI信号（Video-1)及びHD-SDI信号（Video-2)の少なくとも一方を入力とし、Video dataが必ず垂直ブランキング画像信号となる同期切り替え期間（特定のライン番号(LN)の期間）を検出する（ステップＳ１１１）。なお、同期切り替え期間はSMPTEの規格によって定められている。次に、色フォーマット判断部１２０が同期切り替え期間のVideo dataである垂直ブランキング画像信号がＹＵＶフォーマットのものであるかを判定する（ステップＳ１１２）。例えば、色フォーマット判断部１２０は、Cchの垂直ブランキング画像信号の各ワードが"1000000000"(200h)であるか（YUVフォーマットであるか）を判定する。この判定が最も効率的であるが、色フォーマット判断部１２０が、Ychの垂直ブランキング画像信号のワードが"0001000000"(40h)であり、Cchの垂直ブランキング画像信号の各ワードが"1000000000"(200h)であるか（YUVフォーマットであるか）を判定してもよい。或いは、逆に、色フォーマット判断部１２０が、Ych及びCchともに、垂直ブランキング画像信号の各ワードが"0001000000"(40h)であるか（RGBフォーマットであるか）を判定してもよい。
【００７６】
ステップＳ１１２での判定結果がＹｅｓである場合、色フォーマット判断部１２０は、垂直ブランキング画像信号がＹＵＶフォーマットのものであると判定し、第１画像信号及び第２画像信号がＹＵＶフォーマットの信号であると判断し、その判断結果（YUV）を出力する（ステップＳ１１３）。この場合、次に、4:2:2/4:4:4判断処理（ステップＳ１１５）に進む。4:2:2/4:4:4判断処理（ステップＳ１１５）で4：4：4信号であると判断された場合には（ステップＳ１１６）、その次にLink A/B判断処理（ステップＳ１１７）に進む。一方、4:2:2/4:4:4判断処理（ステップＳ１１５）で4：2：2信号であると判断された場合には（ステップＳ１１６）、処理を終了する。
【００７７】
一方、ステップＳ１１２での判定結果がＮｏである場合、色フォーマット判断部１２０は、垂直ブランキング画像信号がＲＧＢフォーマットのものであると判定し、第１画像信号及び第２画像信号がＲＧＢフォーマットの信号であると判断し、その判定結果（RGB）を出力する（ステップＳ１１４）。第１画像信号及び第２画像信号がＲＧＢフォーマットの信号である場合には必ず4：4：4信号であるため（ステップＳ１１６）、次に、Link A/B判断処理（ステップＳ１１７）に進む。
【００７８】
図１２は、4:2:2/4:4:4判断処理（ステップＳ１１５）を説明するためのフローチャートである。ここでは、２種類の4:2:2/4:4:4判断処理を例示する。
【００７９】
［4:2:2/4:4:4判断処理１］
4:2:2/4:4:4判断処理１では、まず、色ビット数判断部１３０が、HD-SDI信号（Video-1)とHD-SDI信号（Video-2)とを入力とし、HD-SDI信号（Video-1)又はHD-SDI信号（Video-2)に、EAVの垂直識別子(V)がブランキング期間に対応すると識別するラスターライン(V=1)であるにもかかわらずVideo Dataがアクティブ画像信号を含むものが存在するかを確認する。言い換えると、色ビット数判断判定部１３０は、第１垂直ブランキングライン信号の一つであることを表す第１垂直識別子を含む第１垂直アクティブライン信号の一つ、又は、第２垂直ブランキングライン信号の一つであることを表す第２垂直識別子を含む第２垂直アクティブライン信号の一つが、第１の画像信号又は第２の画像信号に含まれるという第１色ビット数判定条件が満たされるか否かを判定する（図１２Ａ／ステップＳ１２１）。ステップＳ１２１の一例では、色ビット数判断部１３０が、ライン番号LN=583に対応するラスターライン信号を判定対象とし、第１色ビット数判定条件が満たされるか否かを判定する。
【００８０】
ステップＳ１２１での判定結果がＹｅｓでである場合、色ビット数判断部１３０は、垂直識別子(V)がブランキング期間に対応すると識別するラスターライン(V=1)であるにもかかわらずVideo Dataがアクティブ画像信号を含むHD-SDI信号（Video-1)又はHD-SDI信号（Video-2)をYUV4:2:2信号のLink Bであると判断し（図８参照）、その判断結果（YUV4:2:2）を出力する。言い換えると、色ビット数判断部１３０は、第１色ビット数判定条件が満たされると判定した場合に、第１画像信号及び第２画像信号が４：２：２信号である旨の判断結果を出力する（ステップＳ１２３）。一方、例えば２フレーム分のラスターラインを検証しても、そのようなラスターラインが検出できなかった場合には、色ビット数判断部１３０は、HD-SDI信号（Video-1)及びHD-SDI信号（Video-2)は、YUV 4:4:4信号であると判断し、その判断結果（YUV 4:4:4）を出力する。言い換えると、色ビット数判断部１３０は、第１色ビット数判定条件が満たされないと判定した場合に、第１画像信号及び第２画像信号が４：４：４信号である旨の判断結果を出力する（ステップＳ１２２／［4:2:2/4:4:4判断処理１］の説明終わり）。
【００８１】
［4:2:2/4:4:4判断処理２］
4:2:2/4:4:4判定処理２では、色ビット数判断部１３０が、前述した第１又は第２基準信号が第１又は第２入力部に入力されてからＳ番目後に第１又は第２入力部に入力される第１又は第２ラスターライン信号の一つが垂直アクティブ期間での第１又は第２ラスターラインの一つに対応するという第２色ビット数判定条件が満たされるか否かを判定する。色ビット数判断部１３０は、第２色ビット数判定条件が満たされると判定した場合に、第１画像信号及び第２画像信号が４：２：２信号である旨の判断結果を出力し、第２色ビット数判定条件が満たされないと判定した場合に、第１画像信号及び第２画像信号が４：４：４信号である旨の判断結果を出力する。
【００８２】
図１２Ｂに例示する4:2:2/4:4:4判定処理２では、まず、色ビット数判断部１３０が、HD-SDI信号（Video-1)とHD-SDI信号（Video-2)とを入力とし、HD-SDI信号（Video-1)又はHD-SDI信号（Video-2)のEAVが含むフィールド識別子(F)が0から1に立ち上がるか（或るラスターラインでF=0であったフィールド識別子が、その次のラスターラインでF=1となるか）を判定する（ステップＳ１３１）。ステップＳ１３１の判定は、例えば、２フレーム分のラスターラインに対して実行される。ステップＳ１３１の判定結果がＮｏであった場合、色ビット数判断部１３０は、HD-SDI信号（Video-1)及びHD-SDI信号（Video-2)がYUV 4:4:4信号であると判断し、その判断結果（YUV 4:4:4）を出力する（ステップＳ１３４）。
【００８３】
一方、ステップＳ１３１の判定結果がＹｅｓであった場合、次に、色ビット数判断部１３０は、フィールド識別子(F)の立ち上がりから（F=0からF=1に変化してから）２０ライン目のラスターラインのVideo Data（HD-SDI信号（Video-1)及びHD-SDI信号（Video-2)のVideo Dataの両方のVideo Data）が垂直ブランキング画像信号であることを確認する（ステップＳ１３２）。ステップＳ１３２の判定結果がＹｅｓであった場合（判断対象のラスターラインが垂直ブランキング期間に対応する場合）には、ステップＳ１３４に進む。ステップＳ１３２の判定結果がＮｏであった場合には、色ビット数判断部１３０は、フィールド識別子(F)の立ち上がりから２０ライン目のラスターラインにおけるYchのVideo Dataが補助データを含むかを確認する（ステップＳ１３３）。ステップＳ１３３での判定結果がＹｅｓであった場合（判断対象のラスターラインが垂直ブランキング期間に対応する場合）には、ステップＳ１３４に進む。ステップＳ１３３での判定結果がＮｏであった場合（判断対象のラスターラインが垂直アクティブ期間に対応する場合）には、色ビット数判断部１３０は、フィールド識別子(F)の立ち上がりから２０ライン目のラスターラインのVideo Dataが垂直ブランキング画像信号でも補助データでもないHD-SDI信号（Video-1)又はHD-SDI信号（Video-2)を、YUV4:2:2信号のLink Bであると判断し（図８参照）、その判断結果（YUV4:2:2）を出力する（ステップＳ１３５／［4:2:2/4:4:4判断処理２］の説明終わり）。
【００８４】
図１３は、Link A/B判断処理（ステップＳ１１７）を説明するためのフローチャートである。
【００８５】
まず、リンク判断部１４０が、HD-SDI信号（Video-1)を入力として、HD-SDI信号（Video-1)のVideo Dataのワードに対し、当該ワード中の所定ビット位置のビット又はビット列を誤り検出符号として誤り検出処理を行い、誤り検出処理に合格するチャネルを持つかを検証する（ステップＳ１５１）。例えば、リンク判断部１４０は、抽出した１０ビット幅のワードのビット列b0,...,b7をパリティチェック用の関数（例えば、ビットb0,...,b7の排他的論理和関数）に入力し、その演算結果がビットb8に一致し、かつ、その演算結果の反転ビットがビットb9に一致するかを判定する（図５Ｂ参照）。
【００８６】
ステップＳ１５１での判定結果がＹｅｓであった場合、リンク判断部１４０は、HD-SDI信号（Video-1)はLink Bであると判断する（ステップＳ１５３）。この場合、次に、リンク判断部１４０は、HD-SDI信号（Video-2)を入力として、HD-SDI信号（Video-2)のVideo Dataのワードに対し、当該ワード中の所定ビット位置のビット又はビット列を誤り検出符号として誤り検出処理を行い、誤り検出処理に合格するチャネルを持つかを検証する（ステップＳ１５５）。ステップＳ１５５の判定結果がＹｅｓであった場合には、ステップＳ１５３での判定が誤りであったとして処理をやり直すため（ステップＳ１５７）、ステップＳ１５１に戻る。
【００８７】
ステップＳ１５１での判定結果がＮｏであった場合、リンク判断部１４０は、HD-SDI信号（Video-1)のVideo Dataのワードの何れかがAll Blanking又は"64h"であるか（所定値のビット又はビット列であるか）を確認する（ステップＳ１５２）。ステップＳ１５２での判定結果がＹｅｓであれば、ステップＳ１５３に進む。一方、ステップＳ１５２での判定結果がＮｏであれば、リンク判断部１４０は、HD-SDI信号（Video-1)はLink Aであると判断し（ステップＳ１５４）、その判断結果（Video-1:Link A，Video-2:Link B）を出力して処理を終了する。
【００８８】
また、ステップＳ１５５での判定結果がＮｏであった場合、リンク判断部１４０は、HD-SDI信号（Video-2)のVideo Dataのワードの何れかがAll Blanking又は"64h"であるか（所定値のビット又はビット列であるか）を確認する（ステップＳ１５６）。ステップＳ１５６での判定結果がＹｅｓであれば、ステップＳ１５７に進む。一方、ステップＳ１５６での判定結果がＮｏであれば、リンク判断部１４０は、HD-SDI信号（Video-2)がLink Aであると判断し（ステップＳ１５８）、その判断結果（Video-1:Link B，Video-2:Link A）を出力して処理を終了する。
【００８９】
以上の各処理によって信号種別判断部１００から出力された各判断結果はレジスタ１２に格納される。制御部１３は、レジスタ１２に格納された判断結果を用いてHD-SDI信号（Video-1)及びHD-SDI信号（Video-2)の信号種別を判断し、その信号種別に応じた制御信号（Cont.）をセレクタ１４、デマルチプレクサ１６、ＲＧＢ変換器１７に送り、これらを制御する。
【００９０】
なお、信号種別に応じた制御処理は公知の処理である。そのため、その詳細な説明は省略する。例えば、HD-SDI信号（Video-1)及びHD-SDI信号（Video-2)がともに別個なシングルリンク信号（この場合はYUV4:2:2信号）であった場合には、制御部１３は、セレクタ１４を制御して、HD-SDI信号（Video-1)又はHD-SDI信号（Video-2)の何れか一方の信号をメモリ１５ａへ入力させ、デマルチプレクサ１６に読み込ませる。デマルチプレクサ１６は、デマルチプレクス処理を行うことなく、メモリ１５ａから供給された信号をＲＧＢ変換器１７に送り、ＲＧＢ変換器１７はそれをＲＧＢフォーマットの信号に変換してＬＣＤ１８に出力し、ＬＣＤ１８は入力された信号に基づき画像を表示する。また、例えば、HD-SDI信号（Video-1)及びHD-SDI信号（Video-2)がデュアルリンク信号であった場合には、制御部１３は、セレクタ１４を制御して、HD-SDI信号（Video-1)とHD-SDI信号（Video-2)とをメモリ１５ａと１５ｂとへ入力させ、位相合わせを行わせた後、デマルチプレクサ１６に読み込ませる。デマルチプレクサ１６は、供給されたHD-SDI信号（Video-1)とHD-SDI信号（Video-2)とに対するデマルチプレクス処理を行い、処理信号をＲＧＢ変換部１７に送る。ＲＧＢ変換部１７は、HD-SDI信号（Video-1)及びHD-SDI信号（Video-2)がＹＵＶフォーマットの信号であった場合には入力された信号をＲＧＢフォーマットの信号に変換し、ＲＧＢフォーマットの信号であった場合にはそのまま、ＬＣＤ１８に出力する。ＬＣＤ１８は入力された信号に基づき画像を表示する。
【００９１】
〔第２実施形態〕
次に、第２実施形態を説明する。以下では、第１実施形態との相違点のみを説明し、共通する部分については説明を省略する。
【００９２】
図１に示すように、第２実施形態の画像表示装置２は、さらにＩＤデコーダ２１を備える点で、第１実施形態の画像表示装置１と相違する。
【００９３】
図１４は、信号種別判断処理を説明するためのフローチャートである。
【００９４】
本形態では、まず、HD-SDI信号（Video-1)及びHD-SDI信号（Video-2)がＩＤデコーダ２１に入力され、HD-SDI信号（Video-1)又はHD-SDI信号（Video-2)がエンコードされたFORMAT IDを含むことが確認される（ステップＳ２０１）。ステップＳ２０１での判定結果がＹｅｓであった場合、ＩＤデコーダ２１はエンコードされたFORMAT IDをデコードし、レジスタ１２に格納する。制御部１３は、レジスタ１２から読み出したFORMAT IDに基づき、FORMAT IDを含むHD-SDI信号（Video-1)又はHD-SDI信号（Video-2)の信号種別を判断し、その判断結果をレジスタ１２に格納する（ステップＳ２０２）。一方、エンコードされたFORMAT IDを含まないHD-SDI信号（Video-1)及び／又はHD-SDI信号（Video-2)に対しては第１実施形態で説明した信号種別判断を行い、その判断結果をレジスタ１２に格納する（ステップＳ２０３）。その他は、第１実施形態と同様である。
【００９５】
〔第３実施形態〕
次に、第３実施形態を説明する。第３実施形態は、第１，２実施形態の変形である。以下では、第１，２実施形態との相違点のみを説明し、共通する部分については説明を省略する。
【００９６】
図１に示すように、第３実施形態の画像表示装置３は、さらに入力部３３とＯＳＤ（オンスクリーンディスプレイ）部３１と重畳部３２とを備える点で、第１実施形態の画像表示装置１や第２実施形態の画像表示装置２と相違する。図１５は、入力部３３の一例を示す図である。図１５の例の入力部３３は、ＳＤＩボタン３１１、押下げボタン３２２等の複数のボタンを有する。
【００９７】
図１４を用いて、第３実施形態の信号種別判断処理を説明する。
【００９８】
ステップＳ２０２やＳ２０３でレジスタ１２に格納された信号種別の判断結果は、制御部１３に読み込まれ、ＯＳＤ部３１に送られる。ＯＳＤ部３１は、この信号種別の判断結果を表示する表示画面データを生成し、重畳部３２に送る。重畳部３２は、この表示画面データを表示画面に重畳させてＬＣＤ１８に表示させる（ステップＳ３０４）。
【００９９】
制御部１３は、入力部３３からの入力（Input）があったかを判定する（ステップＳ３０５）。ステップＳ３０５での判定結果がＮｏであった場合には処理がステップＳ２０１に戻る。一方、ステップＳ３０５での判定結果がＹｅｓであった場合には、制御部１３は、その入力内容に応じてレジスタ１２に格納された信号種別の判断結果を変更する（ステップＳ３０６）。
【０１００】
例えば、ＳＤＩボタン３１１（図１５）が押下げられた場合には、その押下げ回数に応じ、信号種別の判断結果を以下の順序で変更する。
(1)→Video-1のシングルリンク信号→Video-2のシングルリンク信号→Video-1がLink AでVideo-2がLink Bのデュアルリンク信号→Video-1がLink BでVideo-2がLink Aのデュアルリンク信号→(1)
また、押下げボタン３３２が押下げられた場合には、その押下げ回数に応じ、信号種別の判断結果を以下の順序で変更する。
(2)→YUV 4:2:2信号→YUV 4:4:4信号→RGB 4:4:4信号→(2)
【０１０１】
〔第４実施形態〕
第４実施形態は、第１から３実施形態の変形例である。第４実施形態と第１から３実施形態との相違点は、シングルリンク信号とデュアルリンク信号との判別方法である。以下では、第４実施形態と第１から３実施形態との相違点を中心に説明する。
【０１０２】
＜原理：シングルリンク信号とデュアルリンク信号との判別方法＞
図１６は、１つの伝送線で伝送されるHD-SDI信号が含む複数のラスターライン信号の関係を説明するための図である。図１６では、１つの伝送線で伝送されるHD-SDI信号が含むラスターライン信号４２０のそれぞれがライン番号(LN)の順序で配列されている。
【０１０３】
１つの伝送線で伝送されるHD-SDI信号が含むラスターライン信号４２０のそれぞれは、それぞれのライン番号(LN)に対応する順序でインタフェース部（I/F）１１ａ又は１１ｂに入力される。また、ラスターライン信号４２０のそれぞれは、EAV, LN, CRC, ANC, SAV, Video Dataという順序でインタフェース部（I/F）１１ａ又は１１ｂに入力される（図３Ａ−３Ｄ）。
【０１０４】
ラスターライン信号４２０のそれぞれを、それぞれに対応するライン番号(LN)に対応する順序の時系列信号としてみた場合、各ラスターライン信号４２０が含むEAVやSAVが含む垂直識別子(V)の値が１である期間が垂直ブランキング期間（Blanking）であり、垂直識別子(V)の値が０である期間が垂直アクティブ期間（Active）である（図３Ａ−３Ｄ）。また、ラスターライン信号のそれぞれをEAV, LN, CRC, ANC, SAV, Video Dataという順序の時系列信号としてみた場合、各ラスターライン信号４２０が含むEAVの水平識別子(H)の値が１である期間が水平ブランキング期間（HBLANC）であり、水平識別子(H)の値が０である期間が水平アクティブ期間（HDISP）である。図１６に例示するように、インタフェース部（I/F）１１ａ又は１１ｂに入力される各ラスターライン信号４２０に含まれる垂直識別子(V)の値が１である垂直ブランキング期間（Blanking）と垂直識別子(V)の値が０である垂直アクティブ期間（Active）とは繰り返される。また、垂直識別子(V)の値が１である期間では、水平識別子(H)の値が１である水平ブランキング期間（HBLANC）と水平識別子(H)の値が０である水平アクティブ期間（HDISP）とが繰り返される。さらに、垂直識別子(V)の値が０である期間では、水平識別子(H)の値が１である水平ブランキング期間（HBLANC）と水平識別子(H)の値が０である水平アクティブ期間（HDISP）とが繰り返される。
【０１０５】
本形態では、上記のような特徴を利用し、第１伝送線で伝送されてインタフェース部（I/F）１１ａ（第１入力部）に入力されたHD-SDI信号（第１画像信号）が含む垂直識別子(V)及び水平識別子(H)と、第２伝送線で伝送されてインタフェース部（I/F）１１ｂ（第２入力部）に入力されたHD-SDI信号（第２画像信号）が含む垂直識別子(V)及び水平識別子(H)との間の遅延時間に基づいて、第１及び第２画像信号がシングルリンク信号であるかデュアルリンク信号であるかを判断する。
【０１０６】
図１７は、デュアルリンク信号の垂直識別子(V)及び水平識別子(H)の値の変化を例示するための図である。
【０１０７】
インタフェース部（I/F）１１ａ（第１入力部）に入力されたHD-SDI信号（第１画像信号）と、インタフェース部（I/F）１１ｂ（第２入力部）に入力されたHD-SDI信号（第２画像信号）とがデュアルリンク信号である場合、第１画像信号と第２画像信号とは、互いに同期されて伝送される。この場合、以下の条件１−４が満たされる。
【０１０８】
［条件１］第１入力部に入力された第１画像信号（図１７の例ではLink Aに対応）のラスターライン信号に含まれる垂直識別子(V)の値が立ち上がる時点（０から１に変化する時点）t1に対する、第２入力部に入力された第２画像信号（図１７の例ではLink Bに対応）のラスターライン信号に含まれる垂直識別子(V)の値が立ち上がる時点t11の遅延時間の大きさは、規定値未満（例えば、遅延時間40nsec未満）となる。
【０１０９】
［条件２］第１入力部に入力された第１画像信号のラスターライン信号に含まれる垂直識別子(V)の値が立ち下がる時点（１から０に変化する時点）t5に対する、第２入力部に入力された第２画像信号のラスターライン信号に含まれる垂直識別子(V)の値が立ち下がる時点t15の遅延時間の大きさは、規定値未満（例えば、遅延時間40nsec未満）となる。
【０１１０】
［条件３］第１入力部に入力された第１画像信号のラスターライン信号に含まれる水平識別子(H)の値が立ち上がる時点t3に対する、第２入力部に入力された第２画像信号のラスターライン信号に含まれる水平識別子(H)の値が立ち上がる時点（０から１に変化する時点）t13の遅延時間の大きさは、規定値未満（例えば、遅延時間40nsec未満）となる。時点t5と時点t15との関係、時点t7と時点t17との関係などについても同様である。
【０１１１】
［条件４］第１入力部に入力された第１画像信号のラスターライン信号に含まれる水平識別子(H)の値が立ち下がる時点t4に対する、第２入力部に入力された第２画像信号のラスターライン信号に含まれる水平識別子(H)の値が立ち下がる時点（１から０に変化する時点）t14の遅延時間の大きさは、規定値未満（例えば、遅延時間40nsec未満）となる。時点t6と時点t16との関係、時点t8と時点t18との関係などについても同様である。
【０１１２】
図１８Ａ及び図１８Ｂは、シングルリンク信号の垂直識別子(V)及び水平識別子(H)の値の変化を例示するための図である。
【０１１３】
インタフェース部（I/F）１１ａ（第１入力部）に入力されたHD-SDI信号（第１画像信号）と、インタフェース部（I/F）１１ｂ（第２入力部）に入力されたHD-SDI信号（第２画像信号）とが、それぞれシングルリンク信号である場合、第１画像信号と第２画像信号とは、互いに同期されていない。そのため、図１８Ａ及び図１８Ｂに例示するように、上記の条件１−４が満たされるとは限らない。例えば、図１８Ａの例では、第１入力部に入力された第１画像信号（図１８Ａの例ではVideo-1に対応）のラスターライン信号に含まれる垂直識別子(V)の値が立ち上がる時点t21に対する、第２入力部に入力された第２画像信号（図１８Ａの例ではVideo-2）のラスターライン信号に含まれる垂直識別子(V)の値が立ち上がる時点t31の遅延時間の大きさが規定値よりも大きくなっており、条件１が満たされない。同様に、第１入力部に入力された第１画像信号のラスターライン信号に含まれる垂直識別子(V)の値が立ち下がる時点t25に対する、第２入力部に入力された第２画像信号のラスターライン信号に含まれる垂直識別子(V)の値が立ち下がる時点t35の遅延時間の大きさが規定値よりも大きくなっており、条件２が満たされない。
【０１１４】
また、第１画像信号と第２画像信号とがシングルリンク信号である場合、偶然にある時点で条件１又は条件２が満たされたとしても、条件１又は条件２が満たされた時点での各垂直識別子(V)を含む各ラスターライン信号よりも後にインタフェース部（I/F）１１ａ，１１ｂに入力される各ラスターライン信号について条件３又は条件４が満たされる可能性は極めて低い。例えば、例えば、図１８Ｂの例では、時点t21と時点t51との関係について条件１が満たされるが、インタフェース部（I/F）１１ａに入力された第１画像信号のラスターライン信号に含まれる水平識別子(H)の値が立ち上がる時点t23に対する、インタフェース部（I/F）１１ｂに入力された第２画像信号のラスターライン信号に含まれる水平識別子(H)の値が立ち上がる時点t53の遅延時間の大きさは、規定値よりも大きくなり、条件３が満たされない。同様に、インタフェース部（I/F）１１ａに入力された第１画像信号のラスターライン信号に含まれる水平識別子(H)の値が立ち下がる時点t24に対する、インタフェース部（I/F）１１ｂに入力された第２画像信号のラスターライン信号に含まれる水平識別子(H)の値が立ち下がる時点t54の遅延時間の大きさは、規定値よりも大きくなり、条件４が満たされない。時点t23と時点t53との関係、時点t25と時点t55との関係、時点t27と時点t57との関係、時点t24と時点t54との関係、時点t26と時点t56との関係、時点t28と時点t58との関係などについても同様である。
【０１１５】
以上より、本形態では、条件１又は条件２が満たされ、なおかつ、条件１又は条件２が満たされた時点での各垂直識別子(V)を含む各ラスターライン信号よりも後にインタフェース部（I/F）１１ａ，１１ｂに入力される各ラスターライン信号について条件３又は条件４が満たされる場合に、第１画像信号と第２画像信号とがデュアルリンク信号であると判断される。一方、条件１若しくは条件２が満たされない場合、又は、たとえ条件１若しくは条件２が満たされたとしても、条件１又は条件２が満たされた時点での各垂直識別子(V)を含む各ラスターライン信号よりも後にインタフェース部（I/F）１１ａ，１１ｂに入力される各ラスターライン信号について条件３又は条件４が満たされない場合、第１画像信号と第２画像信号とがシングルリンク信号であると判断される。
【０１１６】
言い換えると、本形態では、第１ターゲット信号が第１入力部に入力されてから第２ターゲット信号が第２入力部に入力されるまでの第１遅延時間の大きさが第１時間未満であるかという第１遅延時間判定条件、又は、第１遅延時間の大きさが第１時間以下であるかという第１遅延時間判定条件が判定される。さらに本形態では、第３ターゲット信号が第１入力部に入力されてから第４ターゲット信号が第２入力部に入力されるまでの第２遅延時間の大きさが第２時間未満であるかという第２遅延時間判定条件、又は、第２遅延時間の大きさが第２時間以下であるかという第２遅延時間判定条件が判定される。そして、第１遅延時間判定条件が満たされると判定され、なおかつ、第２遅延時間判定条件が満たされると判定された場合に、位相差判定条件が満たされると判定し、第１遅延時間判定条件が満たされないと判定されるか、又は、第２遅延時間判定条件が満たされないと判定された場合に、位相差判定条件が満たされないと判定される。
【０１１７】
なお、「第１，２ターゲット信号」は、垂直識別子(V)が立ち上がった時点でのラスターライン信号であるか、或いは、垂直識別子(V)が立ち下がった時点でのラスターライン信号である。すなわち、「第１ターゲット信号」は、第１垂直アクティブライン信号（例えば、図１６のラスターライン信号４２０−ｊ、ただしjは正整数）の直後に第１入力部に入力された第１垂直ブランキングライン信号の一つ（例えば、ラスターライン信号４２０−（ｊ＋１））であり、なおかつ、「第２ターゲット信号」は、第２垂直アクティブライン信号の直後に第２入力部に入力された第２垂直ブランキングライン信号の一つである。或いは、「第１ターゲット信号」が、第１垂直ブランキングライン信号（例えば、ラスターライン信号４２０−（ｊ＋ｋ）、ただしｋは２以上の整数）の直後に第１入力部に入力された第１垂直アクティブライン信号の一つ（例えば、ラスターライン信号４２０−（ｊ＋ｋ＋１））であり、なおかつ、「第２ターゲット信号」が、第２垂直ブランキングライン信号の直後に第２入力部に入力された第２垂直アクティブライン信号の一つである。
【０１１８】
また、「第３ターゲット信号」は、第１ターゲット信号が第１入力部に入力されてからＷ番目後（Ｗは正の整数定数）に第１入力部に入力された第１ラスターライン信号の一つ（例えば、ラスターライン信号４２０−（ｊ＋ｑ）、ただしｑはＫ＋２以上の整数）であり、なおかつ、「第４ターゲット信号」は、第２ターゲット信号が第２入力部に入力されてからＷ番目後に第２入力部に入力された第２ラスターライン信号の一つである。
【０１１９】
また、「第１遅延時間」は、第１ターゲット信号に含まれる第１垂直識別子が第１入力部に入力されてから、第２ターゲット信号に含まれる第２垂直識別子が第２入力部に入力されるまでの時間である。判定に用いられる第１，２垂直識別子はEAVに含まれるものであってもよいし、SAVに含まれるものであってもよい。ただし、判定に用いられる第１，２垂直識別子の一方がEAVに含まれ、他方がSAVに含まれることは望ましくない。判定に用いられる第１，２垂直識別子の一方がEAVに含まれ、他方がSAVに含まれる場合には、EAVとSAVとの間の時間差が補正された上で判定がなされる必要がある。
【０１２０】
さらに、「第２遅延時間」は、第３ターゲット信号に含まれる第１水平識別子が第１入力部に入力されてから、第４ターゲット信号に含まれる第２水平識別子が第２入力部に入力されるまでの時間である。判定に用いられる第１，２水平識別子はEAVに含まれるものであってもよいし、SAVに含まれるものであってもよい。ただし、判定に用いられる第１，２水平識別子の一方がEAVに含まれ、他方がSAVに含まれることは望ましくない。判定に用いられる第１，２水平識別子の一方がEAVに含まれ、他方がSAVに含まれる場合には、EAVとSAVとの間の時間差が補正された上で判定がなされる必要がある。
【０１２１】
＜構成＞
図１に例示するように、本形態の画像表示装置４は、上述した原理に基づいて信号種別を判定する信号種別判断部４００と、インタフェース部（I/F）１１ａ，１１ｂ（第１，２入力部）と、レジスタ１２と、マイクロコンピュータ等の制御部１３と、セレクタ１４と、位相合わせ（遅延吸収）用のメモリ１５ａ，１５ｂと、デマルチプレクサ１６と、ＹＵＶフォーマットの信号をＲＧＢフォーマットの信号に変換するマトリクス回路であるＲＧＢ変換部１７と、ＬＣＤ１８とを有する。
【０１２２】
図１９は、第４実施形態の信号種別判断部４００の機能構成を説明するためのブロック図である。図１９に例示するように、本形態の信号種別判断部４００は、位相差判断部４１０と、色フォーマット判断部１２０と、色ビット数判断部１３０と、リンク判断部１４０とを有する。また、位相差判断部４１０は、遅延時間判定部４１１，４１２と判定部４１３とを有する。
【０１２３】
＜信号種別判別方法＞
図２０は、第４実施形態の信号種別判別方法を説明するためのフローチャートである。
【０１２４】
本形態では、まず、遅延時間判定部４１１（図１９）が、HD-SDI信号（Video-1)とHD-SDI信号（Video-2)とを入力とし、HD-SDI信号（Video-1)に含まれる前述の第１ターゲット信号に含まれる第１垂直識別子(V)がインタフェース部（I/F）１１ａに入力されてから、HD-SDI信号（Video-2)に含まれる前述の第２ターゲット信号に含まれる第２垂直識別子(V)がインタフェース部（I/F）１１ｂに入力されるまでの第１遅延時間を測定する。当該第１遅延時間は、第１ターゲット信号がインタフェース部（I/F）１１ａに入力されてから第２ターゲット信号がインタフェース部（I/F）１１ｂに入力されるまでの時間に相当する（ステップＳ４０１）。なお、第１垂直識別子(V)がインタフェース部（I/F）１１ａに受信されてから、第２垂直識別子(V)がインタフェース部（I/F）１１ｂに受信されるまでの時間を「第１遅延時間」としてもよいし、第１垂直識別子(V)が遅延時間判定部４１１に入力されてから、第２垂直識別子(V)が遅延時間判定部４１１に入力されるまでの時間を「第１遅延時間」としてもよい。
【０１２５】
次に、遅延時間判定部４１１は、第１遅延時間の大きさが閾値（第１時間）未満であるかという第１遅延時間判定条件（｜第１遅延時間｜＜閾値）が満たされるか否かを判定する（ステップＳ４０２）。なお、閾値の一例は、伝送規格で定められたデュアルリンク信号間の遅延時間の許容値（例えば、40nsec）である。また、｜第１遅延時間｜＜閾値を判定する代わりに、｜第１遅延時間｜≦閾値（第１遅延時間の大きさが第１時間以下であるかという第１遅延時間判定条件）を判定してもよい。遅延時間判定部４１１での判定結果は、遅延時間判定部４１１から出力され、判定部４１３に入力される。
【０１２６】
ステップＳ４０２でＮｏと判定された場合、判定部４１３は、上述の位相差判定条件が満たされないと判定し、HD-SDI信号（Video-1)とHD-SDI信号（Video-2)とがシングルリンク信号であると判断してその判断結果（Single）を出力し（ステップＳ１０５）、信号種別判断部４００の処理を終了する。
【０１２７】
一方、ステップＳ４０２でＹｅｓと判定された場合、遅延時間判定部４１２が、HD-SDI信号（Video-1)とHD-SDI信号（Video-2)とを入力とし、HD-SDI信号（Video-1)に含まれる前述の第３ターゲット信号に含まれる第１水平識別子(H)がインタフェース部（I/F）１１ａに入力されてから、HD-SDI信号（Video-2)に含まれる前述の第４ターゲット信号に含まれる第２水平識別子(H)がインタフェース部（I/F）１１ｂに入力されるまでの第２遅延時間を測定する。当該第２遅延時間は、第１水平識別子(H)がインタフェース部（I/F）１１ａに入力されてから、第２水平識別子(H)がインタフェース部（I/F）１１ｂに入力されるまでの時間に相当する（ステップＳ４０３）。なお、第１水平識別子(H)がインタフェース部（I/F）１１ａに受信されてから、第２水平識別子(H)がインタフェース部（I/F）１１ｂに受信されるまでの時間を「第２遅延時間」としてもよいし、第１水平識別子(H)が遅延時間判定部４１２に入力されてから、第２水平識別子(H)が遅延時間判定部４１２に入力されるまでの時間を「第２遅延時間」としてもよい。
【０１２８】
次に、遅延時間判定部４１２は、第２遅延時間の大きさが閾値（第２時間）未満であるかという第２遅延時間判定条件（｜第２遅延時間｜＜閾値）が満たされるか否かを判定する（ステップＳ４０４）。なお、閾値の一例は、伝送規格で定められたデュアルリンク信号間の遅延時間の許容値（例えば、40nsec）である。また、｜第２遅延時間｜＜閾値を判定する代わりに、｜第２遅延時間｜≦閾値（第２遅延時間の大きさが第２時間以下であるかという第２遅延時間判定条件）を判定してもよい。遅延時間判定部４１２での判定結果は、遅延時間判定部４１２から出力され、判定部４１３に入力される。
【０１２９】
ステップＳ４０４でＮｏと判定された場合、判定部４１３は、上述の位相差判定条件が満たされないと判定し、HD-SDI信号（Video-1)とHD-SDI信号（Video-2)とがシングルリンク信号であると判断してその判断結果（Single）を出力し（ステップＳ１０５）、信号種別判断部４００の処理を終了する。
【０１３０】
一方、ステップＳ４０４でＹｅｓと判定された場合、判定部４１３は、上述の位相差判定条件が満たされると判定し、HD-SDI信号（Video-1)とHD-SDI信号（Video-2)とがデュアルリンク信号であると判断してその判断結果（Dual）を出力し（ステップＳ１０４）、第１実施形態で説明した、YUV/RGB判断処理、4:2:2/4:4:4判断処理、Link A/B判断処理に進む（ステップＳ１０６）。
【０１３１】
〔その他の変形例等〕
なお、本発明は上述の実施の形態に限定されるものではない。例えば、本形態では、第１画像信号及び第２画像信号がHD-SDI信号である場合を例にとって説明したが、第１画像信号及び第２画像信号がその他の画像信号であってもよい。
【０１３２】
また、上述の実施の形態では、信号種別判断部１００又は４００が、位相差判断部１１０又は４１０と色フォーマット判断部１２０と色ビット数判断部１３０とリンク判断部１４０とを含み、それぞれに対応する信号種別判断処理を実行した。しかし、信号種別判断部が、位相差判断部１１０又は４１０、色フォーマット判断１２０、色ビット数判断部１３０及びリンク判断部１４０の一部のみを含み、これらの一部に対応する信号種別判断処理のみを実行することとしてもよい。又は、入力部３３に入力された選択情報に基づき、位相差判断部１１０又は４１０、色フォーマット判断部１２０、色ビット数判断部１３０及びリンク判断部１４０から一部の判断部のみが選択され、選択された判断処理のみが実行されてもよい。その他、位相差判断部１１０、色フォーマット判断部１２０、色ビット数判断部１３０及びリンク判断部１４０に加え、その他の信号種別判断処理を行う処理部が追加されてもよい。
【０１３３】
また、各実施形態では、インタフェース部（I/F）１１ａが第１入力部に対応し、インタフェース部（I/F）１１ｂが第２入力部に対応することとした。しかしながら、信号種別判定部１００又は４００の入力インタフェース部が第１入力部及び第２入力部に対応すると解釈してもよい。
【０１３４】
また、上述の各種の処理は、記載に従って時系列に実行されるのみならず、処理を実行する装置の処理能力あるいは必要に応じて並列的にあるいは個別に実行されてもよい。その他、本発明の趣旨を逸脱しない範囲で適宜変更が可能であることはいうまでもない。
【０１３５】
また、上述の構成はコンピュータによって実現できる。この場合、各装置が有すべき機能の処理内容はプログラムによって記述される。そして、このプログラムをコンピュータで実行することにより、上記処理機能がコンピュータ上で実現される。
【０１３６】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【０１３７】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【０１３８】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記憶装置に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【符号の説明】
【０１３９】
１〜４  画像表示装置
１００，４００  信号種別判断部
【図１】
2011004647.tif 000004
【図２】
2011004647.tif 000005
【図３】
2011004647.tif 000006
【図４】
2011004647.tif 000007
【図５】
2011004647.tif 000008
【図６】
2011004647.tif 000009
【図７】
2011004647.tif 000010
【図８】
2011004647.tif 000011
【図９】
2011004647.tif 000012
【図１０】
2011004647.tif 000013
【図１１】
2011004647.tif 000014
【図１２】
2011004647.tif 000015
【図１３】
2011004647.tif 000016
【図１４】
2011004647.tif 000017
【図１５】
2011004647.tif 000018
【図１６】
2011004647.tif 000019
【図１７】
2011004647.tif 000020
【図１８】
2011004647.tif 000021
【図１９】
2011004647.tif 000022
【図２０】
2011004647.tif 000023
【手続補正書】
【提出日】平成24年7月3日(2012.7.3)
【手続補正１】
【補正対象書類名】特許請求の範囲
【補正対象項目名】全文
【補正方法】変更
【補正の内容】
【特許請求の範囲】
【請求項１】
複数の伝送線で伝送された画像信号の信号種別を判断する信号種別判断装置であって、
第１伝送線で伝送された第１画像信号の入力を受け付ける第１入力部と、
第２伝送線で伝送された第２画像信号の入力を受け付ける第２入力部と、
前記第１画像信号と前記第２画像信号の遅延時間が所定値未満であるかという位相差判定条件、又は、前記遅延時間が所定値以下であるかという位相差判定条件が満たされるか否かを判定し、前記判定条件が満たされると判定した場合に、前記第１画像信号と前記第２画像信号とがデュアルリンク信号である旨の判断結果を出力し、前記位相差判定条件が満たされないと判定した場合に、前記第１画像信号と前記第２画像信号とがシングルリンク信号である旨の判断結果を出力する位相差判断部とを有する。
【請求項２】
請求項１の信号種別判断装置であって、
前記第１画像信号は、複数のラスターライン信号を含み、
前記第１画像信号が含むラスターライン信号である第１ラスターライン信号のそれぞれは、ラスター形式の第１画像に含まれる複数のラスターラインである複数の第１ラスターラインのそれぞれに対応し、
前記第２画像信号は、複数のラスターライン信号を含み、
前記第２画像信号が含むラスターライン信号である第２ラスターライン信号のそれぞれは、ラスター形式の第２画像に含まれる複数のラスターラインである複数の第２ラスターラインのそれぞれに対応する。
【請求項３】
請求項２の信号種別判断装置であって、
前記第１ラスターライン信号のそれぞれは、それぞれが前記第１入力部に入力される順序に対応するライン番号である第１ライン番号を含み、前記第２ラスターライン信号のそれぞれは、それぞれが前記第２入力部に入力される順序に対応するライン番号である第２ライン番号を含み、
前記位相差判断部は、
前記第１ラスターライン信号に含まれる一つの前記第１ライン番号が前記第１入力部に入力されてから、前記第２ラスターライン信号に含まれる一つの前記第２ライン番号が前記第２入力部に入力されるまでの遅延時間の大きさが所定の時間未満であるかという判遅延時間判定条件、又は、前記遅延時間の大きさが前記所定の時間以下であるかという遅延時間判定条件が満たされるか否かを判定する遅延時間判定部と、
前記一つの前記第１ライン番号と前記一つの前記第２ライン番号とが同一かを判定するライン番号判定部と、
前記位相差判定条件が満たされるか否かを判定する判定部と、を含み、
前記判定部は、
前記遅延時間判定部で前記遅延時間判定条件が満たされると判定され、なおかつ、前記ライン番号判定部で前記第１ライン番号と前記第２ライン番号とが同一であると判定された場合に、前記位相差判定条件が満たされると判定し、
前記遅延時間判定部で前記遅延時間判定条件が満たされないと判定されるか、又は、前記ライン番号判定部で前記第１ライン番号と前記第２ライン番号とが同一でないと判定された場合に、前記位相差判定条件が満たされないと判定する。
【請求項４】
請求項２の信号種別判断装置であって、
前記複数の第１ラスターライン信号は、垂直ブランキング期間での前記第１ラスターラインに対応するラスターライン信号である第１垂直ブランキングライン信号と、垂直アクティブ期間での前記第１ラスターラインに対応するラスターライン信号である第１垂直アクティブライン信号とを含み、
前記複数の第２ラスターライン信号は、垂直ブランキング期間での前記第２ラスターラインに対応するラスターライン信号である第２垂直ブランキングライン信号と、垂直アクティブ期間での前記第２ラスターラインに対応するラスターライン信号である第２垂直アクティブライン信号とを含み、
第１ターゲット信号が、前記第１垂直アクティブライン信号の直後に前記第１入力部に入力された前記第１垂直ブランキングライン信号の一つであり、なおかつ、第２ターゲット信号が、前記第２垂直アクティブライン信号の直後に前記第２入力部に入力された前記第２垂直ブランキングライン信号の一つであり、又は、前記第１ターゲット信号が、前記第１垂直ブランキングライン信号の直後に前記第１入力部に入力された前記第１垂直アクティブライン信号の一つであり、なおかつ、前記第２ターゲット信号が、前記第２垂直ブランキングライン信号の直後に前記第２入力部に入力された前記第２垂直アクティブライン信号の一つであり、
第３ターゲット信号が、前記第１ターゲット信号が前記第１入力部に入力されてからＷ番目後（Ｗは正の整数定数）に前記第１入力部に入力された前記第１ラスターライン信号の一つであり、なおかつ、第４ターゲット信号が、前記第２ターゲット信号が前記第２入力部に入力されてからＷ番目後に前記第２入力部に入力された前記第２ラスターライン信号の一つであり、
前記位相差判断部は、
前記第１ターゲット信号が前記第１入力部に入力されてから前記第２ターゲット信号が前記第２入力部に入力されるまでの遅延時間である第１遅延時間の大きさが第１時間未満であるかという第１遅延時間判定条件、又は、前記第１遅延時間の大きさが前記第１時間以下であるかという第１遅延時間判定条件を判定する第１遅延時間判定部と、
前記第３ターゲット信号が前記第１入力部に入力されてから前記第４ターゲット信号が前記第２入力部に入力されるまでの遅延時間である第２遅延時間の大きさが第２時間未満であるかという第２遅延時間判定条件、又は、前記第２遅延時間の大きさが前記第２時間以下であるかという第２遅延時間判定条件を判定する第２遅延時間判定部と、
前記第１遅延時間判定部で前記第１遅延時間判定条件が満たされると判定され、なおかつ、前記第２遅延時間判定部で前記第２遅延時間判定条件が満たされると判定された場合に、前記位相差判定条件が満たされると判定し、前記第１遅延時間判定部で前記第１遅延時間判定条件が満たされないと判定されるか、又は、前記第２遅延時間判定部で前記第２遅延時間判定条件が満たされないと判定された場合に、前記位相差判定条件が満たされないと判定する判定部と、を含む。
【請求項５】
請求項４の信号種別判断装置であって、
前記第１画像に含まれる前記第１ラスターラインのそれぞれは、水平ブランキング領域である第１水平ブランキング領域と前記第１水平ブランキング以外の領域である第１水平アクティブ領域との両方を含み、
前記第２画像に含まれる前記第２ラスターラインのそれぞれは、水平ブランキング領域である第２水平ブランキング領域と前記第２水平ブランキング以外の領域である第２水平アクティブ領域との両方を含み、
前記第１ターゲット信号は、当該第１ターゲット信号が前記第１垂直アクティブライン信号の一つであるか前記第１垂直ブランキングライン信号の一つであるかを表す値を持つ識別子である第１垂直識別子を含み、
前記第２ターゲット信号は、当該第２ターゲット信号が前記第２垂直アクティブライン信号の一つであるか前記第２垂直ブランキングライン信号の一つであるかを表す値を持つ識別子である第２垂直識別子を含み、
前記第３ターゲット信号は、当該第３ターゲット信号に含まれる前記第１水平ブランキング領域又は前記第１水平アクティブ領域を特定するための値を持つ識別子である第１水平識別子を含み、
前記第４ターゲット信号は、当該第４ターゲット信号に含まれる前記第２水平ブランキング領域又は前記第２水平アクティブ領域を特定するための値を持つ識別子である第２水平識別子を含み、
前記第１遅延時間は、前記第１垂直識別子が前記第１入力部に入力されてから、前記第２垂直識別子が前記第２入力部に入力されるまでの時間であり、
前記第２遅延時間は、前記第１水平識別子が前記第１入力部に入力されてから、前記第２水平識別子が前記第２入力部に入力されるまでの時間である。
【請求項６】
請求項２から５の何れかの信号種別判断装置であって、
前記複数の第１ラスターライン信号は、垂直ブランキング期間での前記第１ラスターラインに対応するラスターライン信号である第１垂直ブランキングライン信号を含み、前記複数の第２ラスターライン信号は、垂直ブランキング期間での前記第２ラスターラインに対応するラスターライン信号である第２垂直ブランキングライン信号を含み、
当該信号種別判断装置は、
前記第１画像信号又は前記第２画像信号から前記第１垂直ブランキングライン信号又は前記第２垂直ブランキングライン信号が表す画像信号である垂直ブランキング画像信号を抽出し、前記垂直ブランキング画像信号がＲＧＢフォーマットのものであるか、ＹＵＶフォーマットのものであるかを判定し、前記垂直ブランキング画像信号がＲＧＢフォーマットのものであると判定した場合に、前記第１画像信号及び前記第２画像信号がＲＧＢフォーマットの信号である旨の判断結果を出力し、前記垂直ブランキング画像信号がＹＵＶフォーマットのものであると判定し場合に、前記第１画像信号及び前記第２画像信号がＹＵＶフォーマットの信号である旨の判断結果を出力する色フォーマット判断部をさらに有する。
【請求項７】
請求項２から６の何れかの信号種別判断装置であって、
前記第１ラスターライン信号は、垂直ブランキング期間での前記第１ラスターラインに対応するラスターライン信号である第１垂直ブランキングライン信号と、垂直アクティブ期間での前記第１ラスターラインに対応するラスターライン信号である第１垂直アクティブライン信号とを含み、前記第１ラスターライン信号のそれぞれは、それぞれが前記第１垂直アクティブライン信号の一つであるか前記第１垂直ブランキングライン信号の一つであるかを表す値を持つ識別子である第１垂直識別子を含み、
前記第２ラスターライン信号は、垂直ブランキング期間での前記第２ラスターラインに対応するラスターライン信号である第２垂直ブランキングライン信号と、垂直アクティブ期間での前記第２ラスターラインに対応するラスターライン信号である第２垂直アクティブライン信号とを含み、前記第２ラスターライン信号のそれぞれは、それぞれが前記第２垂直アクティブライン信号の一つであるか前記第２垂直ブランキングライン信号の一つであるかを表す値を持つ識別子である第２垂直識別子を含み、
前記第１画像信号及び前記第２画像信号がデュアルリンクの４：２：２信号である場合、前記複数の第１ラスターラインと前記複数の第２ラスターラインとは、複数のフレームに対応する複数の表示画面を構成し、前記表示画面において前記第２ラスターラインのそれぞれは前記第１ラスターラインのそれぞれの隣に配置され、前記表示画面は隣り合う前記第１ラスターラインの一つと前記第２ラスターラインの一つとからなる組を複数含み、前記組のそれぞれにおいて前記第１垂直識別子が表す値は前記第２垂直識別子が表す値に等しく、前記表示画面が含む１つのフレームに対応する前記第１ラスターラインの総数と前記第２ラスターラインの総数との合計値は奇数であり、
当該信号種別判断装置は、
前記第１垂直ブランキングライン信号の一つであることを表す前記第１垂直識別子を含む前記第１垂直アクティブライン信号の一つ、又は、前記第２垂直ブランキングライン信号の一つであることを表す前記第２垂直識別子を含む前記第２垂直アクティブライン信号の一つが、前記第１の画像信号又は前記第２の画像信号に含まれるという第１色ビット数判定条件が満たされるか否かを判定し、前記第１色ビット数判定条件が満たされると判定した場合に、前記第１画像信号及び前記第２画像信号が４：２：２信号である旨の判断結果を出力し、前記第１色ビット数判定条件が満たされないと判定した場合に、前記第１画像信号及び前記第２画像信号が４：４：４信号である旨の判断結果を出力する、色ビット数判断部をさらに有する。
【請求項８】
請求項２から６の何れかの信号種別判断装置であって、
前記第１及び第２ラスターライン信号のそれぞれは、第１フィールドに属するか第２フィールドに属し、前記第１ラスターライン信号のそれぞれは、それぞれが前記第１フィールドに属するか前記第２フィールドに属するかを表す値を持つ識別子である第１フィールド識別子を含み、前記第２ラスターライン信号のそれぞれは、それぞれが前記第１フィールドに属するか前記第２フィールドに属するかを表す値を持つ識別子である第２フィールド識別子を含み、
前記第１ラスターライン信号は、垂直ブランキング期間での前記第１ラスターラインに対応するラスターライン信号である第１垂直ブランキングライン信号と、垂直アクティブ期間での前記第１ラスターラインに対応するラスターライン信号である第１垂直アクティブライン信号とを含み、前記第２ラスターライン信号は、垂直ブランキング期間での前記第２ラスターラインに対応するラスターライン信号である第２垂直ブランキングライン信号と、垂直アクティブ期間での前記第２ラスターラインに対応するラスターライン信号である第２垂直アクティブライン信号とを含み、
前記第１画像信号及び前記第２画像信号がデュアルリンクの４：２：２信号である場合、
前記複数の第１ラスターラインと前記複数の第２ラスターラインとは、複数のフレームに対応する複数の表示画面を構成し、前記表示画面において前記第２ラスターラインのそれぞれは前記第１ラスターラインのそれぞれの隣に配置され、前記表示画面は隣り合う前記第１ラスターラインの一つと前記第２ラスターラインの一つとからなる組を複数含み、前記組のそれぞれにおいて前記第１フィールド識別子が表す値は前記第２フィールド識別子が表す値に等しく、前記複数のフレームは、前記第１フィールドに対応するフレームと前記第２フィールドに対応するフレームとを含み、前記表示画面が含む１つのフレームに対応する前記第１ラスターラインの総数と前記第２ラスターラインの総数との合計値は奇数であり、
前記第１ラスターライン信号の何れかである第１基準信号が含む前記第１フィールド識別子の値は、前記第１基準信号の次に前記第１入力部に入力される前記第１ラスターライン信号の一つが含む前記第１フィールド識別子の値と相違し、前記第１基準信号が前記第１入力部に入力されてからＳ番目後（Ｓは正の整数定数）に前記第１入力部に入力される前記第１ラスターライン信号の一つは垂直ブランキング期間での前記第１ラスターラインの一つに対応し、
前記第２ラスターライン信号の何れかである第２基準信号が含む前記第２フィールド識別子の値は、前記第２基準信号の次に前記第２入力部に入力される前記第２ラスターライン信号の一つが含む前記第２フィールド識別子の値と相違し、前記第２基準信号が前記第２入力部に入力されてからＳ番目後に前記第２入力部に入力される前記第２ラスターライン信号の一つは垂直アクティブ期間での前記第２ラスターラインの一つに対応し、
前記表示画面において前記第２基準信号に対応する前記第２ラスターラインの一つは前記第１基準信号に対応する前記第１ラスターラインの一つの隣に配置され、
当該信号種別判断装置は、
前記第１又は第２基準信号が前記第１又は第２入力部に入力されてからＳ番目後に前記第１又は第２入力部に入力される前記第１又は第２ラスターライン信号の一つが垂直アクティブ期間での前記第１又は第２ラスターラインの一つに対応するという第２色ビット数判定条件が満たされるか否かを判定し、前記第２色ビット数判定条件が満たされると判定した場合に、前記第１画像信号及び前記第２画像信号が４：２：２信号である旨の判断結果を出力し、前記第２色ビット数判定条件が満たされないと判定した場合に、前記第１画像信号及び前記第２画像信号が４：４：４信号である旨の判断結果を出力する、色ビット数判断部をさらに有する。
【請求項９】
請求項１から８の何れかの信号種別判断装置であって、
前記第１画像信号及び前記第２画像信号は、所定数のビットを含むワードを複数含み、
前記第１画像信号及び前記第２画像信号がデュアルリンク信号である場合、
前記第１画像信号がリンクＡ信号であって前記第２画像信号がリンクＢ信号であるか、又は、前記第１画像信号がリンクＢ信号であって前記第２画像信号がリンクＡ信号であり、
前記リンクＢ信号が含む前記ワードの何れかは、前記ワードの何れかのビット誤りを検出するための誤り検出符号を所定位置に含むか、又は、所定値のビット又はビット列を含み、
当該信号種別判断装置は、
前記第１画像信号及び前記第２画像信号に含まれる何れかの前記ワードの前記所定位置のビット又はビット列を誤り検出符号とみなして、前記ワードの何れかの誤り検出処理を行い、及び／又は、前記ワードの何れかが前記所定値のビット又はビット列から構成されているかを判定し、前記第１画像信号に含まれる前記ワードの何れかに対する誤り検出結果が合格であるか、又は、前記第１画像信号に含まれる前記ワードが前記所定値のビット又はビット列から構成されている場合に、前記第１画像信号が前記リンクＢ信号である旨の判断結果を出力し、前記第２画像信号に含まれる前記ワードの何れかに対する誤り検出結果が合格であるか、又は、前記第２画像信号に含まれる前記ワードが前記所定値のビット又はビット列から構成されている場合に、前記第２画像信号が前記リンクＢ信号である旨の判断結果を出力する、リンク判断部をさらに有する。
【請求項１０】
請求項１から９の何れかの信号種別判断装置を有する画像表示装置。
【請求項１１】
請求項１０の画像表示装置であって、
請求項１から９の何れかの信号種別判断装置から出力された前記判断結果を、前記第１画像信号及び前記第２画像信号の信号種別選択表示の初期表示として表示する表示部と、
選択された信号種別の入力を受け付ける第３入力部と、
を有する画像表示装置。
【請求項１２】
複数の伝送線で伝送された画像信号の信号種別判断方法であって、
第１伝送線で伝送された第１画像信号と第２伝送線で伝送された第２画像信号の遅延時間が所定値未満であるかという位相差判定条件、又は、前記遅延時間が所定値以下であるかという位相差判定条件を判定するステップと、
前記位相差判定条件が満たされると判定された場合に、前記第１画像信号と前記第２画像信号とがデュアルリンク信号であると判断し、前記位相差判定条件が満たされないと判定された場合に、前記第１画像信号と前記第２画像信号とがシングルリンク信号であると判断するステップと、を有する。
【請求項１３】
請求項１２の信号種別判断方法であって、
前記第１画像信号は、複数のラスターライン信号を含み、前記第１画像信号が含むラスターライン信号である第１ラスターライン信号のそれぞれは、ラスター形式の第１画像に含まれる複数のラスターラインである複数の第１ラスターラインのそれぞれに対応し、前記複数の第１ラスターライン信号は、垂直ブランキング期間での前記第１ラスターラインに対応するラスターライン信号である第１垂直ブランキングライン信号を含み、
前記第２画像信号は、複数のラスターライン信号を含み、前記第２画像信号が含むラスターライン信号である第２ラスターライン信号のそれぞれは、ラスター形式の第２画像に含まれる複数のラスターラインである複数の第２ラスターラインのそれぞれに対応し、前記複数の第２ラスターライン信号は、垂直ブランキング期間での前記第２ラスターラインに対応するラスターライン信号である第２垂直ブランキングライン信号を含み、
当該信号種別判断方法は、
前記第１画像信号又は前記第２画像信号から前記第１垂直ブランキングライン信号又は前記第２垂直ブランキングライン信号が表す垂直ブランキング画像信号を抽出し、前記垂直ブランキング画像信号がＲＧＢフォーマットのものであるか、ＹＵＶフォーマットのものであるかを判定するステップと、
前記垂直ブランキング画像信号がＲＧＢフォーマットのものであると判定された場合に、前記第１画像信号及び前記第２画像信号がＲＧＢフォーマットの信号である旨の判断結果を出力し、前記垂直ブランキング画像信号がＹＵＶフォーマットのものであると判定された場合に、前記第１画像信号及び前記第２画像信号がＹＵＶフォーマットの信号である旨の判断結果を出力するステップと、をさらに有する。
【国際調査報告】
2011004647.tif 000024
2011004647.tif 000025
2011004647.tif 000026
2011004647.tif 000027